(57)【要約】【課題】人工授精を介して哺乳動物を産生する方法、授精のための少数の精子、および子宮鏡授精技術の使用を介する哺乳動物の産生を提供すること。【解決手段】新鮮な精子または保存された精子、処置またはプロセスされた精子、子宮卵管接合部の近傍での表面下に挿入された精子、授精サンプルの確立のための子宮鏡適合性媒体、授精のための子宮鏡適合性容量、子宮鏡技術の精巣上体での使用、子宮鏡授精において使用される泡（ｂｕｂｂｌｅ  ｏｒ  ｆｒｏｔｈ）授精、ならびに子宮鏡授精において使用される分類されそして凍結された精子を提供し、哺乳動物種、特に、ウマ、ウシおよびブタを産生する方法。【選択図】なし【特許請求の範囲】
【請求項１】
明細書に記載される哺乳動物の雌の子宮鏡授精システム。
【発明の詳細な説明】
【技術分野】
【０００１】
本願は、米国仮出願番号６０／２３８，２９４（本明細書中に参考として援用される）の利益および適用可能な任意の優先権を主張する。
【０００２】
（技術分野）
本発明は、一般に、哺乳動物の授精の分野に関する。具体的には、本発明は、一旦精子が何らかの様式（例えば、フローサイトメトリーを介する精子の選別）で処理または加工されると特に適用可能であり得る、授精を達成するためのシステムに関する。より具体的には、本発明は、子宮鏡授精技術を介する、従来の人工授精と比較して低い数の精子を用いて授精を達成するためのシステムに関し得る。本発明は、特に、ウマ、ウシおよびブタに授精するためのシステムに、適用可能であり得る。さらに、本発明は、特に、哺乳動物の子孫の雌雄選択に適用可能であり得る。
【背景技術】
【０００３】
（背景）
種々の形態の人工授精（ＡＩ）が、哺乳動物において妊娠の首尾よい割合を達成し、そして子孫哺乳動物を生じるために、使用されてきた。ＡＩの伝統的な形態としては、種々のインビボ技術（例えば、従来の子宮内人工授精技術、またはより具体的には、大腿骨頸部（ｔｒａｎｓ  ｃｅｒｖｉｃａｌ）人工授精）が挙げられる。天然授精の用量は、代表的に大きくあり得る。例えば、いくつかの種において、天然授精は、２〜２０×１０９精子のオーダーの精子数を含み得る。対照的に、同じ種における従来のＡＩ技術は、２００〜５００×１０６精子のオーダーの精子数を必要とし得る。このことはまた、多数の精子であると考察され得る（特に、精子が何らかの様式で加工されている場合）。認容可能な数の妊娠を達成するための、高い数の精子に対する伝統的な要件を考慮して、引き続く授精のためにより低い精子計数を生じ得る交配技術の開発に取り組むために、他の授精技術が求められた。低用量の授精は、発明の名称「Ｓｅｘ−Ｓｐｅｃｉｆｉｃ  Ｉｎｓｅｍｉｎａｔｉｏｎ  ｏｆ  Ｍａｍｍａｌｓ  Ｗｉｔｈ  Ｌｏｗ  Ｎｕｍｂｅｒ  ｏｆ  Ｓｐｅｒｍ  Ｃｅｌｌｓ」の、ＰＣＴ公開ＷＯ９９／３３９５６に具体的に議論されている。子宮鏡による授精が提唱されており、そしてある程度まで、Ｍｏｒｒｉｓら、２０００（本明細書中に参考として援用される）において議論されている。
【０００４】
本願において言及される全ての参考文献、および言及されないさらなる参考文献を含めて、この記載される議論の最後に列挙されており、これらの全ては、参考として援用されるとみなされるべきであることに予め注目するべきである。
【０００５】
フローサイトメトリーを使用する、高速精子選別は、哺乳動物（例えば、ウマ、ウシ、ヒツジ、ウサギ、ブタおよびヒト）において子孫哺乳動物を産生するための交配技術として首尾よく使用されてきた。これは、いくつかの他の種に対してもまた、潜在的に使用され得る。哺乳動物の妊娠および得られる子孫哺乳動物を増強または改変するための技術（特に、精子の加工および授精技術に関して）が開発された。
【０００６】
人工授精の成功を最適化する際の１つの潜在的な限定的な要因は、Ｐｉｃｋｅｔｔら、１９８９において認識されるように、低い数の精子での授精であり得る。Ｐｉｃｋｅｔｔらは、雌性ウマにおける従来の人工授精のための潜在的な最小の推奨用量は、５００×１０６程度に高い生殖可能に運動性の精子であり得ることを認識した。いくつかの精子選別技術において、１秒間あたり約７００の精子の低い選別速度を用いると、人工授精のために推奨される用量の精子を得るために、数日かかり得る。このことは、実用的でないだけでなく、精子の生存可能性もまた、有意に低下し得る。従って、認容可能な受精率のために必要とされる精子の数を潜在的に減少させるために、低用量の授精技術が、当業者に対して望ましいものであり得る。
【０００７】
さらに、授精のためには低い用量であると考えられ得る用量は、代表的に、認容可能な受精率を生じないかもしれない。受精率は、例えば、サンプルのサイズ、従来のＡＩから得られる受精率の高い範囲または百分率を超えて達成可能である場合に、認容可能または統計学的に比較可能であるとみなされ得る。従って、受精を最大にするために必要とされる精子の数を潜在的に減少させるために、低用量の授精技術は、当業者に対して望ましいものであり得る。
【０００８】
低用量の授精の考慮においてか、ＩＡ受精率を一般的に改善するためかにかかわらず、人工授精に関するさらなる懸念は、妊娠の得られる数に関する全体としての、その手順の効率である。多数の手順工程が、従来のＡＩ手順において使用され得、この手順は例えば、雌性ウマを交配させる際の発情期の同期；授精用量の調製、より具体的には、精子の希釈（Ｋｅｎｎｙら、１９７５）および再懸濁のためのエキステンダーの使用（例えば、ＴＡＬＰまたはＨＥＰＥＳで緩衝化されたタイロード媒体を使用する）、密度勾配または粘度勾配を通しての、サンプルの遠心分離（ＰＥＲＣＯＬＬなどを使用する）；生存可能性または運動性の評価；ならびに授精手順の詳細である。授精手順は、歴史的に、超音波および直腸により導かれる技術を含んだ。雌性ウマの子宮鏡授精もまた、Ｖａｓｑｕｅｚら、１９９８およびＭａｎｎｉｎｇら、１９９８の参考文献に記載されるように、実施されてきている。しかし、制限された成功のみが、従来のＡＩにおける上記手順ならびにＶａｓｑｕｅｚらおよびＭａｎｎｉｎｇらの手順の利用において、実証された。特に、いずれの参考文献も、従来のＡＩに対して統計学的に比較可能な受胎率を生じ得るとはいえない。特に、ＶａｓｑｕｅｚらおよびＭａｎｎｉｎｇらの参考文献は、それぞれ３．８×１０６の精子のうちの３３％、および１．０×１０６の精子のうちの２２％の受胎率を実証し得、これらは、関与する種についての従来のＡＩに対して比較不可能な受胎率であるとみなされ得る。ＡＩのための効率的な手順を生じる、以前のかなりの試みにもかかわらず、現在まで、哺乳動物の子宮鏡授精のための効率的な手順に対する、長いこと感じられているが満たされていない必要性が、交配技術において存在する。さらに、上記のような、生存可能な精子の認容可能な数を達成するための、高い数の精子についての伝統的な要求を考慮すると、効率的な、低用量の子宮鏡授精に対する必要性が、現行の交配技術において、現在まで存在した。
【０００９】
さらに、ブタの子宮内深部への授精が、Ｖａｓｑｕｅｚら、２０００の参考文献に記載されるように、実施されている。しかし、授精は、２０×１０７の精子のオーダーの、高い数の精子であるとみなされ得る数で実施された。しかし、Ｖａｓｑｕｅｚら、２０００は、授精のためにより低い精子数を利用する交配技術に取り組むための授精手順に対する、長いこと感じられているが満たされていない必要性（例えば、現行の精子選別技術から生じ得るもの）を確認し得る。
【００１０】
従って、Ｖａｓｑｕｅｚら、１９９８、Ｖａｓｑｕｅｚら、２０００、およびＭａｎｎｉｎｇら、１９９８の参考文献から実証され得るように、当業者は、哺乳動物における高い受精率、および得られる哺乳動物の高い産生、低い授精投与量に対する高い受精率を潜在的に生じる授精技術、ならびに特に子宮鏡授精技術に関する有効性の問題に取り組むための授精技術を提供することの確認された必要性に取り組まなかったかもしれない。
【００１１】
授精手順に関する１つの重要な手順工程は、一般に、より高い受精率を潜在的に提供するために望ましい数の、生存可能な運動性の精子を含む授精用量の確立である。運動性精子の選択のための手順は、例えば、参考文献Ｇｒｏｅｎｄａｈｌら、１９９６における従来のＡＩに関して、そして一般に、子宮鏡授精において、例えば、ＰＥＲＣＯＬＬ（Ｓｉｇｍａ  Ｃｈｅｍｉｃａｌ  Ｃｏ．，Ｓｔ．Ｌｏｕｉｓ，ＭＯ）を単独でかもしくは他の物質と組み合わせて利用して、密度勾配または粘度勾配を確立することによって、実施され得る。しかし、現在まで、生存可能かまたは運動性の精子を分画するためのかなりの努力は、高い受精率、低い授精用量に対する高い受精率を潜在的に提供する授精技術、および特に子宮鏡授精技術に関する有効性の問題に取り組む授精技術の、確認された必要性に特に取り組まなかった。
【００１２】
授精手順に関する第２の潜在的な問題は、一般に、上記のような特別な運動性試験なしで、より高い受精率を潜在的に提供するために望ましい数の生存可能な運動性の精子を含む授精用量の確立である。密度勾配または粘度勾配の導入は、精子にストレスを導入し得、これは、特定のサンプルから入手可能な、生存可能な運動性の精子の実際の数を、実際に減少させ得る。現在まで、生存可能かまたは運動性の精子を分画するためのかなりの努力は、高い受精率、低い授精用量に対する高い受精率を提供する授精技術、および特に子宮鏡授精技術に関する有効性の問題に取り組む授精技術の、確認された必要性に特に取り組まなかった。実際に、特定の授精サンプルから生存可能かまたは運動性の精子の総数を減少させる可能性に起因して、密度勾配または粘度勾配を組み込む、以前の試みは、実際に、授精技術を提供する本発明の手順（これは、生存可能な低用量の授精サンプルを得るために要し得る努力が少ない）とは反対の教示をし得る。
【００１３】
授精手順に関する第３の潜在的な問題は、一般に、特定の授精技術に適合性の容量の確立である。上記のように、１つの認識された必要性は、より高い受精率を潜在的に提供することの願望である。第２の認識された必要性（これもまた上記）は、高い受精率を潜在的に達成するために、低い数の精子を使用する能力である。授精用量は、特定の授精技術によって決定され得る。しかし、この用量は、より高い率の受精を潜在的に提供するために望ましい数の精子を含み得る。適切な数の精子（授精技術の潜在的な容量要件を考慮して）が、認容可能な受精率を潜在的に提供することを可能にする、適切な授精技術を確立するために、かなりの努力がなされてきた。しかし、ＶａｓｑｕｅｚらおよびＭａｎｎｉｎｇらにおいて報告された受精率が実証し得るように、特定の授精技術に適合性の授精用量を決定して、より高い率の受精を潜在的にさらに提供することは、子宮鏡授精については潜在的に確立されていない。
【００１４】
さらに、以前に言及されたように、精子サンプルは、授精手順の前に加工され得る。例えば、従来のＡＩは、精子の希釈（Ｋｅｎｎｙら、１９７５）および再懸濁のためのエキステンダーの使用を提供し得る。しかし、使用される特定の媒体は、授精手順自体と適合性ではないかもしれない。サンプル媒体の非適合性は、精子または用量のより低い沈着数、あるいはより低い受精率を生じ得る。さらに、沈着した授精用量の様式または形態、あるいはＡＩの間の沈着の特定の方法は、受胎のために利用可能な沈着した精子の数にさらに影響を与え得る。しかし、現在まで、授精媒体に対するかなりの努力は、高い受精率、低い授精用量に対する高い受精率を潜在的に生じる授精技術、および特に子宮鏡授精技術に関する有効性の問題に取り組む授精技術を提供する必要性に特に取り組まなかったかもしれない。
【００１５】
懸念のさらなる要因は、授精のタイミングである。授精のタイミングは、例えば、精子の生存可能性および寿命、ならびに哺乳動物の発情周期のタイミングのために、重要な要因であり得る。特に、精子サンプルの獲得の遠隔位置（すなわち、雄性哺乳動物の位置）、およびＡＩの最終的な位置が、問題であり得る。従来のＡＩにおいて、授精前に精子サンプルを貯蔵して授精を発情周期と調和させるための、以前の努力がなされた。しかし、現在まで、授精のタイミングに関するかなりの努力は、高い受精率、低い授精投与量に対する高い受精率を潜在的に提供する授精技術、および特に子宮鏡授精技術に関する有効性の問題に取り組む授精技術を提供することの、確認された必要性に特に取り組まなかったかもしれず、そしてその問題を理解さえしなかったかもしれない。
【００１６】
精子サンプルの供給源もまた、得られる授精のために重要であり得る。精巣上体での精子サンプルの獲得（精子サンプルを精巣の精巣上体から得ること；成熟の間精子を保持し、そして精管と連続的な単一のコイル状ダクトに統合される前に絡まった塊を形成する、精巣から後方に出る小管）は、授精のタイミングおよび精子の生存可能性に関する、いくつかの固有の利点を提供し得る。しかし、現在まで、精子の供給源、生存可能性および授精のタイミングに関するかなりの努力は、高い受精率、低い授精投与量に対する高い受精率を潜在的に生じる授精技術、および特に子宮鏡授精技術に関する有効性の問題に取り組む授精技術を提供することの、確認された必要性に完全には取り組まなかったかもしれず、そしてその問題を理解さえしなかったかもしれない。
【発明の開示】
【発明が解決しようとする課題】
【００１７】
（発明の開示）
本発明者らは、従来の人工授精の方法に付随する潜在的な問題を認識した。従って、本発明の実施形態は、以前の人工授精の技術およびシステムの不備な点に取り組み得る、人工授精の使用による哺乳動物の産生を提供し得る。本発明は、特定の実施形態によれば、潜在的に高い受精率、従来のＡＩの結果と統計学的に適合性であり得る受精率、および低い授精用量を使用しての潜在的に高い受精率が達成され得る、哺乳動物の産生の方法を包含し得る。より具体的には、本発明の実施形態は、子宮鏡授精技術の使用による、哺乳動物の産生を提供し得る。さらに、本発明は、哺乳動物のうちでとりわけ、ウマ、ウシ、およびブタのような哺乳動物に特に関する実施形態を含み得る。従って、本発明の実施形態は、人工授精の以前の努力にはなかった開発とさえ考えられ得る。
【００１８】
従って、本発明の１つの課題は、効率的な手順を利用する、哺乳動物の産生を提供することである。従って、本発明の目的は、従来のＡＩおよび他の授精技術と比較してより低い数の精子が授精用量において使用され得、一方で、本発明の特定の実施形態において、受胎の少なくとも統計学的に比較可能な成功率が維持されるように、哺乳動物産生のための人工授精の技術を提供することである。
【００１９】
本発明の別の課題は、人工授精手順を利用する哺乳動物の産生を提供することであり、これは、精子選別のような交配技術からのより低い精子産生と一致する、高い受精率を潜在的に達成し得る。従って、本発明の目的は、従来のＡＩおよび他の授精技術と比較して、より低い数の精子を用いて、受精の統計学的に比較可能な成功率を達成する、哺乳動物の産生のための人工授精の技術を提供することである。
【００２０】
さらに、本発明の課題は、人工授精に関与する工程を増強し得る、人工授精手順を利用する哺乳動物の産生を提供することである。この結果のために、本発明の目的は、発情周期のタイミングの工程、精子の供給源、生存可能性、寿命および加工、授精用量の媒体および容量、ならびに授精のタイミングが、特に、低用量の授精および潜在的に高い受精のために最適化され得るような、哺乳動物産生のための人工授精の技術を提供することである。
【００２１】
本発明のさらなる課題は、好ましい実施形態によれば、子宮鏡授精による哺乳動物の産生を提供することである。従って、本発明の目的は、授精用量の挿入、沈着部位への授精用量の導き、適切な位置での授精用量の沈着が、適切な様式または形態で、先に言及されたような他の課題および目的を達成するために達成され得るように、哺乳動物産生のための人工授精の技術を提供することである。本発明の特定の実施液体によれば、ブリスター授精およびバブル（ｂｕｂｂｌｅ）もしくは泡（ｆｒｏｔｈ）の授精が、好ましい実施形態として導入されて、受精率を最適化する。本発明の特定の目的は、授精用量を導きそして沈着するための、ビデオ内視鏡を備えるカテーテルを利用する、哺乳動物産生のための人工授精の技術を提供することである。
【００２２】
さらに、本発明の課題は、特定の実施形態によれば、人工授精手順を利用して、種々の哺乳動物種の産生を提供することである。従って、本発明の目的は、他の種のうちでもとりわけ、ウマ、ウシおよびブタのような哺乳動物のための、人工授精の技術を提供することである。さらなる目的は、授精用量中の低い数の精子、および潜在的に高い受精率、特に、従来のＡＩと統計学的に比較可能であり得る率をさらに提供する、種々の哺乳動物種のための人工授精の技術を提供することである。
【００２３】
本発明の他の課題は、本明細書の他の箇所および特許請求の範囲にわたって、開示される。さらに、目的および課題は、従属の様式または独立の様式のいずれかで、種々の実施形態において、種々の他の目的および課題に対して適用され得る。
【課題を解決するための手段】
【００２４】
従って、本発明は、以下を提供する：
（項目１）  哺乳動物を産生する方法であって：
ａ．哺乳動物種の雄から精子細胞を収集する工程；
ｂ．授精に望ましい精子を選択する工程；
ｃ．人工授精のための子宮鏡授精に適合する量を決定する工程；
ｄ．該子宮鏡授精に適合する量の授精標本を確立する工程であって、該授精標本において該授精に望ましい精子および子宮鏡に適合する媒体を用いる、工程；
ｅ．該授精標本において該精子細胞の特徴を一時的に実質的に保持する工程；
ｆ．該哺乳動物種の雌の発情時期を決定する工程；
ｇ．およそ該発情時期に人工授精サンプルを確立するために、該授精標本の特性を変更する工程；
ｈ．該人工授精サンプルをカテーテルに置く工程；
ｉ．該哺乳動物種の雌が適切に受精する時期を決定する工程；
ｊ．該哺乳動物種の雌に光学要素を膣内挿入する工程；
ｋ．該哺乳動物種の雌に該カテーテルを膣内挿入する工程；
ｌ．該哺乳動物種の雌の膣を通して該光学要素および該カテーテルを導く工程；
ｍ．該哺乳動物種の雌内に子宮卵管接合部を光学的に位置確認する工程；
ｎ．該哺乳動物種の雌内の該子宮卵管接合部の近傍に該カテーテルを位置づける工程；
ｏ．該哺乳動物種の雌内の該子宮卵管接合部の近傍の表面下で該カテーテルから該人工授精サンプルの少なくとも一部を押し出す工程；
ｐ．該哺乳動物種の雌内の該子宮卵管接合部の近傍に該人工授精サンプルの少なくとも一部を置く工程；
ｑ．該哺乳動物種の雌から該光学要素および該カテーテルを引き出す工程；
ｒ．該哺乳動物種の雌の卵を受精させる工程；および
ｓ．該受精卵から子孫の哺乳動物を産生する工程、
を包含する、方法。
【００２５】
（項目２）  前記哺乳動物種の雌の卵を受精させる工程が、従来の子宮体人工授精プロセスに統計的に匹敵する成功レベルで該哺乳動物種の雌の卵を受精させる工程を包含する、項目１に記載の哺乳動物を産生する方法。
【００２６】
（項目３）  カテーテルに前記人工授精サンプルを配置する工程が、該カテーテルに少数の精子を配置する工程を包含する、項目２に記載の哺乳動物を産生する方法。
【００２７】
（項目４）  前記カテーテルに少数の精子を配置する工程が、以下：約１０，０００，０００未満の精子、約５，０００，０００個未満の精子、約２，０００，０００個未満の精子、約１，０００，０００個未満の精子、約５００，０００個未満の精子、および約１００，０００個未満の精子からなる群より選択される数の精子を配置する工程を包含する、項目３に記載の哺乳動物を産生する方法。
【００２８】
（項目５）  前記受精させる工程が、従来の子宮体人工授精プロセスに統計的に匹敵する成功レベルで前記哺乳動物種の雌の卵を受精させる工程を包含し、該成功レベルは、以下：
少なくとも約０．０５以上の統計的Ｐ値を有する従来の子宮体人工授精プロセスに統計的に匹敵する成功レベルで該哺乳動物種の雌の卵を受精させること、
少なくとも約０．０５以上の統計的Ｐ値を有する５００，０００，０００個のウマ精子サンプルを用いる従来の子宮体人工授精プロセスに統計的に匹敵する成功レベルで該哺乳動物種の雌の卵を受精させること、
少なくとも約８０％以上の統計的β値を有する従来の子宮体人工授精プロセスに統計的に匹敵する成功レベルで該哺乳動物種の雌の卵を受精させること、
少なくとも約０．０５以上の統計的Ｐ値および少なくとも約８０％以上の統計的β値を有する従来の子宮体人工授精プロセスに統計的に匹敵する成功レベルで該哺乳動物種の雌の卵を受精させること、
からなる群より決定される、項目４に記載の哺乳動物を産生する方法。
【００２９】
（項目６）  従来の子宮体人工授精プロセスに統計的に匹敵する成功レベルで前記哺乳動物種の雌の卵を受精させる工程が、以下：少なくとも約７５％の成功率、少なくとも約６５％の成功率、少なくとも約６０％の成功率、少なくとも約５０％の成功率、少なくとも約４５％の成功率、およびその種についての従来の人工授精の少なくとも約９０％、からなる群より選択される成功レベルで該哺乳動物種の雌の卵を受精させる工程を包含する、項目４に記載の哺乳動物を産生する方法。
【００３０】
（項目７）  前記受精させる工程が、従来の子宮体人工授精プロセスに統計的に匹敵する成功レベルで前記哺乳動物種の雌の卵を受精させる工程を包含し、該成功レベルは、以下：
少なくとも約０．０５以上の統計的Ｐ値を有する従来の子宮体人工授精プロセスに統計的に匹敵する成功レベルで該哺乳動物種の雌の卵を受精させること、
少なくとも約０．０５以上の統計的Ｐ値を有する５００，０００，０００個のウマ精子サンプルを用いる従来の子宮体人工授精プロセスに統計的に匹敵する成功レベルで該哺乳動物種の雌の卵を受精させること、
少なくとも約８０％以上の統計的β値を有する従来の子宮体人工授精プロセスに統計的に匹敵する成功レベルで該哺乳動物種の雌の卵を受精させること、
少なくとも約０．０５以上の統計的Ｐ値および少なくとも約８０％以上の統計的β値を有する従来の子宮体人工授精プロセスに統計的に匹敵する成功レベルで該哺乳動物種の雌の卵を受精させること、
からなる群より決定される、項目６に記載の哺乳動物を産生する方法。
【００３１】
（項目８）  前記哺乳動物種の雄から精子サンプルを収集する工程が、ウシ、ウマ、またはブタからなる群より選択される哺乳動物種の雄から精子サンプルを収集する工程を包含する、項目６に記載の哺乳動物を産生する方法。
【００３２】
（項目９）  前記哺乳動物種の雌内の前記子宮卵管接合部の近傍に前記カテーテルを位置づける工程が、該哺乳動物種の雌内の子宮卵管接合部の近傍の表面下に該カテーテルを挿入する工程を包含し、該哺乳動物種の雌内の子宮卵管接合部の近傍の表面下で該カテーテルから前記人工授精サンプルの少なくとも一部を押し出す工程が、該哺乳動物種の雌内の子宮卵管接合部の近傍の表面下で該カテーテルから該人工授精サンプルの少なくとも一部を押し出す工程を包含し、そして該哺乳動物種の雌内の該子宮卵管接合部の近傍に該人工授精サンプルの少なくとも一部を置く工程が、該哺乳動物種の雌内の該子宮卵管接合部の近傍の該表面下に該人工授精サンプルの少なくとも一部を置く工程を包含する、項目８に記載の哺乳動物を産生する方法。
【００３３】
（項目１０）  前記授精標本において前記授精に望ましい精子および前記子宮鏡に適合する媒体を用いて前記子宮鏡授精に適合する量の該授精標本を確立する工程が、新鮮な精子を用いて人工授精サンプルを確立する工程を包含する、項目８に記載の哺乳動物を産生する方法。
【００３４】
（項目１１）  前記哺乳動物種の雌内の前記子宮卵管接合部の近傍に前記人工授精サンプルの少なくとも一部を置く工程が、該哺乳動物種の雌内の該子宮卵管接合部の陰窩内に該人工授精サンプルの少なくとも一部を置く工程を包含する、項目６に記載の哺乳動物を産生する方法。
【００３５】
（項目１２）  前記授精標本において前記授精に望ましい精子および前記子宮鏡に適合する媒体を用いて前記子宮鏡授精に適合する量の該授精標本を確立する工程が、前記精子細胞を希釈する工程を包含する、項目６に記載の哺乳動物を産生する方法。
【００３６】
（項目１３）  前記精子細胞を希釈する工程が、２：１未満の比への該精子細胞の希釈、５：１未満の比への該精子細胞の希釈、１０：１未満の比への該精子細胞の希釈、スキムミルク媒体を用いた希釈、ＴＡＬＰ媒体を用いた希釈、ＨＥＰＥＳ緩衝タイロード媒体を用いた希釈、およびアンドロヘップ媒体を用いた希釈からなる群より選択される、該精子細胞を希釈する工程を包含する、項目１２に記載の哺乳動物を産生する方法。
【００３７】
（項目１４）  前記授精標本において前記授精に望ましい精子および前記子宮鏡に適合する媒体を用いて前記子宮鏡授精に適合する量の該授精標本を確立する工程が、ほぼ室温に該授精標本を冷却する工程をさらに包含する、項目１３に記載の哺乳動物を産生する方法。
【００３８】
（項目１５）  前記授精に望ましい精子を選択する工程が、前記雄哺乳動物種から収集されたより運動性の精子を濃縮する工程を包含する、項目６に記載の哺乳動物を産生する方法。
【００３９】
（項目１６）  前記雄哺乳動物種から収集されたより運動性の精子を濃縮する工程が、Ｐｅｒｃｏｌｌ勾配を通じて該精子を遠心分離する工程を包含する、項目１５に記載の哺乳動物を産生する方法。
【００４０】
（項目１７）  前記Ｐｅｒｃｏｌｌ勾配を通じて前記精子を遠心分離する工程が、９０：４５％のＰｅｒｃｏｌｌ勾配を用いる工程を包含する、項目１６に記載の哺乳動物を産生する方法。
【００４１】
（項目１８）  前記Ｐｅｒｃｏｌｌ勾配を通じて前記精子を遠心分離する工程が、以下：
ａ．約２００ｇで約５分間、該Ｐｅｒｃｏｌｌ勾配を通じて該精子を遠心分離する工程；および
ｂ．約８００ｇで約１０分間、該Ｐｅｒｃｏｌｌ勾配を通じて該精子を遠心分離する工程、
をさらに包含する、項目１７に記載の哺乳動物を産生する方法。
【００４２】
（項目１９）  前記雄哺乳動物種から収集されたより運動性の精子を濃縮する工程が、該精子の濃度を出発濃度の約２倍未満に限定する工程を包含する、項目１７に記載の哺乳動物を産生する方法。
【００４３】
（項目２０）  前記確立する工程が、約３０μｌと約１５０μｌとの間、約５００μｌ未満、約２３０μｌ未満、および約１００μｌからなる群より選択される量の授精標本を確立する工程を包含する、項目６に記載の哺乳動物を産生する方法。
【００４４】
（項目２１）  前記哺乳動物種の雌の発情時期を決定する工程が、該哺乳動物種の雌における発情を誘導する工程を包含する、項目６に記載の哺乳動物を産生する方法。
【００４５】
（項目２２）  前記哺乳動物種の雌における発情を誘導する工程が、該哺乳動物種の複数の雌における発情を同時に誘導する工程を包含する、項目２１に記載の哺乳動物を産生する方法。
【００４６】
（項目２３）  前記哺乳動物種の雌における発情を誘導する工程が、以下：
ａ．該哺乳動物種の雌を、プロゲスタゲンの処置に約１０日間毎日供する工程；および
ｂ．該哺乳動物種の雌を、プロゲスタゲンの処置に約１０日間毎日供する工程を達成するほぼ１０日目に、該哺乳動物種の雌を、クロプロステノールの処置に少なくとも１回供する工程、
を包含する、項目２１または２２に記載の哺乳動物を産生する方法。
【００４７】
（項目２４）  項目６に記載の哺乳動物の産生する方法であって、前記授精標本の特性を変更する工程を開始して、前記哺乳動物種の雌について適切に受精することが決定された時期付近で、発情期付近にある人工授精サンプルを確立する工程をさらに包含する、方法。
【００４８】
（項目２５）  項目２４に記載の哺乳動物の産生する方法であって、前記授精標本の特性を変更する工程を開始して、前記哺乳動物種の雌について適切に受精することが決定された時期付近で、発情期付近にある人工授精サンプルを確立する工程が、以下：該哺乳動物種の雌について適切に受精すること決定された該時期の約２４時間以内、該哺乳動物種の雌について適切に受精すること決定された該時期の約１２時間以内、該哺乳動物種の雌について適切に受精すること決定された該時期の約８時間以内、該哺乳動物種の雌について適切に受精すること決定された該時期の約３時間以内、該哺乳動物種の雌について適切に受精すること決定された該時期の約１時間以内、からなる群から選択される時間内で、該授精標本の特性を変更する工程を開始する工程を包含する、方法。
【００４９】
（項目２６）  項目６に記載の哺乳動物の産生する方法であって、前記光学要素およびカテーテルを哺乳動物種の雌の膣を通して導く工程が、以下：
ａ．該光学要素および該カテーテルを、該哺乳動物種の雌の頸部を通して導く工程；
ｂ．該光学要素および該カテーテルを、該哺乳動物種の雌の管腔を通して導く工程；および
ｃ．該光学要素および該カテーテルを、該哺乳動物種の雌の子宮角を通して導く工程、
を包含する、方法。
【００５０】
（項目２７）  項目２６に記載の哺乳動物の産生する方法であって、前記光学要素およびカテーテルを哺乳動物種の雌の頸部を通して導く工程が、該光学要素および該カテーテルを、該哺乳動物種の雌の頸部を通して手動で導く工程を包含し、前記光学要素およびカテーテルを哺乳動物種の雌の管腔を通して導く前記工程が、該光学要素および該カテーテルを、該哺乳動物種の雌の管腔を通して手動で導く工程を包含する、方法。
【００５１】
（項目２８）  項目２６に記載の哺乳動物の産生する方法であって、照射要素を前記光学要素の付近に挿入する工程をさらに包含する、方法。
【００５２】
（項目２９）  項目２８に記載の哺乳動物の産生する方法であって、前記照射要素をストロボする工程をさらに包含する、方法。
【００５３】
（項目３０）  項目２９に記載の哺乳動物の産生する方法であって、前記光学要素およびカテーテルを哺乳動物種の雌の子宮角を通して導く工程が、該光学要素および該カテーテルを、該哺乳動物種の雌の子宮角を通して、光学的に導く工程を包含する、方法。
【００５４】
（項目３１）  項目６に記載の哺乳動物の産生する方法であって、前記哺乳動物種の雌における優性な卵胞を決定する工程をさらに包含する、方法。
【００５５】
（項目３２）  項目６に記載の哺乳動物の産生する方法であって、少なくとも約３５ｍｍのサイズの排卵前の卵胞を観察する工程をさらに包含する、方法。
【００５６】
（項目３３）  項目６に記載の哺乳動物の産生する方法であって、ここで、前記カテーテルを哺乳動物種の雌内の子宮卵管接合部の近傍に位置づけする工程が、以下：
ａ．該子宮卵管接合部の約３〜５ｃｍ以内に該カテーテルを配置する工程；次いで
ｂ．該カテーテルを該子宮卵管接合部に接触させる工程、を包含する、方法。
【００５７】
（項目３４）  項目６に記載の哺乳動物の産生する方法であって、前記哺乳動物種の雌の子宮に濾過空気を導く工程をさらに包含する、方法。
【００５８】
（項目３５）  項目３４に記載の哺乳動物の産生する方法であって、前記哺乳動物種の雌の子宮から空気を抜く工程をさらに包含する、方法。
【００５９】
（項目３６）  項目６に記載の哺乳動物の産生する方法であって、前記カテーテルから押し出された前記人工授精サンプルの少なくとも一部を吸引して、吸引された授精サンプルを作製する工程をさらに包含する、方法。
【００６０】
（項目３７）  哺乳動物の産生する方法であって、該方法は、以下：
ａ．哺乳動物種の雄から精子細胞を収集する工程；
ｂ．該哺乳動物について天然の授精用量と比較して少数の精子を有する人工授精サンプルを確立する工程；
ｃ．該人工授精サンプルをカテーテルに置く工程；
ｄ．該哺乳動物種の雌が適切に授精する時期を決定する工程；
ｅ．光学要素を、該哺乳動物種の雌に膣内挿入する工程；
ｆ．該カテーテルを、該哺乳動物種の雌に膣内挿入する工程；
ｇ．該光学要素および該カテーテルを、該哺乳動物種の雌の膣を介して導く工程；
ｈ．子宮卵管接合部を、該哺乳動物種の雌内で光学的に位置確認する工程；
ｉ．該カテーテルを、該哺乳動物種の雌内の該子宮卵管接合部の近傍に位置づけする工程；
ｊ．該人工授精サンプルの少なくとも一部を、該カテーテルから押し出す工程；
ｋ．少数の精子を、該哺乳動物種の雌内の該子宮卵管接合部の近傍に位置づけ工程；
ｌ．該光学要素および該カテーテルを、該哺乳動物種の雌から引き出す工程；
ｍ．該哺乳動物種の雌の卵を、従来の子宮体の人工授精プロセスに統計的に匹敵する成功レベルで受精させる工程；
ｎ．該受精した卵から子孫哺乳動物を産生する工程、
を包含する、方法。
【００６１】
（項目３８）  項目３７に記載の哺乳動物の産生する方法であって、ここで、前記少数の精子をカテーテルに置く工程が、約１０００万未満の精子、約５００万未満の精子、約２００万未満の精子、約１００万未満の精子、約５０万未満の精子、および約１０万未満の精子からなる群から選択される数の精子を置く工程を包含する、方法。
【００６２】
（項目３９）  項目３８に記載の哺乳動物の産生する方法であって、前記受精させる工程が、前記哺乳動物種の雌の卵を、従来の子宮体の人工授精プロセスに統計的に匹敵する成功レベルで受精させる工程を包含し、該成功レベルは、以下：
該哺乳動物種の雌の卵を、少なくとも約０．０５以上の統計的なＰ値で、従来の子宮体の人工授精プロセスに統計的に匹敵する成功レベルで受精させる工程、
該哺乳動物種の雌の卵を、少なくとも０．０５以上の統計的なＰ値で、５億のウマ精子サンプルを使用する従来の子宮体の人工授精プロセスに統計的に匹敵する成功レベルで受精させる工程、
該哺乳動物種の雌の卵を、少なくとも約８０％以上の統計的なβ値で、従来の子宮体の人工授精プロセスに統計的に匹敵する成功レベルで受精させる工程、
該哺乳動物種の雌の卵を、少なくとも約０．０５以上の統計的なＰ値、および少なくとも８０％以上の統計的なβ値の両方で、従来の子宮体の人工授精プロセスに統計的に匹敵する成功レベルで受精させる工程、
からなる群から決定される、方法。
【００６３】
（項目４０）  項目３８に記載の哺乳動物の産生する方法であって、前記哺乳動物種の雌の卵を従来の子宮体の人工授精プロセスに統計的に匹敵する成功レベルで受精させる工程が、該哺乳動物種の雌の卵を、少なくとも約７５％の成功率、少なくとも約６５％の成功率、少なくとも約６０％の成功率、少なくとも約５０％の成功率、少なくとも約４５％の成功率、および該種の従来の人工授精の少なくとも約９０％の成功率からなる群から選択される成功レベルで受精させる工程を包含する、方法。
【００６４】
（項目４１）  項目４０に記載の哺乳動物の産生する方法であって、前記受精させる工程が、前記哺乳動物種の雌の卵を、従来の子宮体の人工授精プロセスに統計的に匹敵する成功レベルで受精させる工程を包含し、該成功レベルは、以下：
該哺乳動物種の雌の卵を、少なくとも約０．０５以上の統計的なＰ値で、従来の子宮体の人工授精プロセスに統計的に匹敵する成功レベルで受精させる工程、
該哺乳動物種の雌の卵を、少なくとも０．０５以上の統計的なＰ値で、５億のウマ精子サンプルを使用する従来の子宮体の人工授精プロセスに統計的に匹敵する成功レベルで受精させる工程、
該哺乳動物種の雌の卵を、少なくとも約８０％以上の統計的なβ値で、従来の子宮体の人工授精プロセスに統計的に匹敵する成功レベルで受精させる工程、
該哺乳動物種の雌の卵を、少なくとも約０．０５以上の統計的なＰ値、および少なくとも８０％以上の統計的なβ値の両方で、従来の子宮体の人工授精プロセスに統計的に匹敵する成功レベルで受精させる工程、
からなる群から決定される、方法。
【００６５】
（項目４２）  項目４０に記載の哺乳動物の産生する方法であって、前記哺乳動物種の雄から精子細胞を収集する工程が、ウシ、ウマまたはブタからなる群から選択される哺乳動物種の雄から精子細胞を収集する工程を包含する、方法。
【００６６】
（項目４３）  項目４２の哺乳動物の産生する方法であって、前記カテーテルを哺乳動物種の雌内の子宮卵管接合部の近傍に位置づけする工程が、該カテーテルを該哺乳動物種の雌内の子宮卵管接合部の近傍の表面の下に挿入する工程を包含し、前記人工授精サンプルの少なくとも一部を哺乳動物種の雌内の子宮卵管接合部の近傍の表面の下の該カテーテルから押し出す工程が、該人工授精サンプルの少なくとも一部を、該哺乳動物種の雌内の子宮卵管接合部の近傍の表面の下の該カテーテルから押し出す工程を包含し、前記吸引された授精サンプルの少なくとも一部を哺乳動物種の雌内の子宮卵管接合部の近傍に位置づけ工程が、該人工授精サンプルの少なくとも一部を、該哺乳動物種の雌内の子宮卵管接合部の近傍の表面の下に置く工程を包含する、方法。
【００６７】
（項目４４）  項目４２に記載の哺乳動物の産生する方法であって、授精に望ましい精子および授精標本において子宮鏡に適合性の媒体を使用して、子宮鏡を用いる受精に適合性の容量で該授精標本を確立する前記工程が、新鮮な精子を使用して人工授精サンプルを確立する工程を包含する、方法。
【００６８】
（項目４５）  項目４０に記載の哺乳動物の産生する方法であって、前記収集された精子細胞から、授精する可能性の高そうな精子を選択する工程をさらに包含する、方法。
【００６９】
（項目４６）  項目４５に記載の哺乳動物の産生する方法であって、前記受精に望ましい精子を選択する工程が、前記哺乳動物種の雄から収集されたより運動性の精子を濃縮する工程を包含する、方法。
【００７０】
（項目４７）  項目４６に記載の哺乳動物の産生する方法であって、前記哺乳動物種の雄から収集されたより運動性の精子を濃縮する工程が、該精子をＰｅｒｃｏｌｌ勾配で遠心分離する工程を包含する、方法。
【００７１】
（項目４８）  項目４７に記載の哺乳動物の産生する方法であって、前記精子をＰｅｒｃｏｌｌ勾配で遠心分離する工程が、９０：４５％のＰｅｒｃｏｌｌ勾配を使用する工程を包含する、方法。
【００７２】
（項目４９）  項目４６に記載の哺乳動物の産生する方法であって、前記哺乳動物種の雄から収集されたより運動性の精子を濃縮する工程が、該精子の濃度を最初の濃度の約２倍未満に制限する工程を包含する、方法。
【００７３】
（項目５０）  項目４０に記載の哺乳動物の産生する方法であって、前記哺乳動物種の雄から精子細胞を収集する工程が、ウシ、ウマまたはブタからなる群から選択される哺乳動物種の雄から精子細胞を収集する工程を包含する、方法。
【００７４】
（項目５１）  項目４２に記載の哺乳動物の産生する方法であって、前記確立する工程が、約３０μｌと１５０μｌとの間、約５００μｌ未満、約２３０μｌ、および約１００μｌからなる群から選択される容量で、授精標本を確立する工程を包含する、方法。
【００７５】
（項目５２）  項目４０に記載の哺乳動物の産生する方法であって、前記哺乳動物種の雄から精子細胞を収集する工程が、哺乳動物種の雄から精巣上体精子細胞を収集する工程を包含する、方法。
【００７６】
（項目５３）  項目４２に記載の哺乳動物の産生する方法であって、前記哺乳動物の天然の授精用量と比較して少数の精子を有する人工授精サンプルを確立する工程が、子宮鏡検査に適合性の媒体を使用して人工授精サンプルを確立する工程を包含する、方法。
【００７７】
（項目５４）  項目５３に記載の哺乳動物の産生する方法であって、前記子宮鏡検査に適合性の媒体を使用して人工授精サンプルを確立する工程が、脱脂乳媒体を使用する工程を包含する、方法。
【００７８】
（項目５５）  項目５３に記載の哺乳動物の産生する方法であって、前記子宮鏡検査に適合性の媒体を使用して人工授精サンプルを確立する工程が、ＴＡＬＰ媒体、ＨＥＰＥＳ緩衝化タイロード媒体、およびアンドロヘップ媒体からなる群から選択される媒体を使用する工程を包含する、方法。
【００７９】
（項目５６）  項目５３に記載の哺乳動物の産生方法であって、ここで、子宮鏡に適合性の培地を利用して人工授精サンプルを確立する前記工程が、カテーテルで調整した粘性を有する培地を利用する工程を包含する、方法。
【００８０】
（項目５７）  項目４０に記載の哺乳動物の産生方法であって、該方法は、前記カテーテルから押出される前記人工授精サンプルの少なくとも一部を吸引して、吸引受精サンプルを作製する工程をさらに包含する、方法。
【００８１】
（項目５８）  項目４０、９７、１３４、１４７、１５５、１８０、１９４、２１２、２２５に記載の哺乳動物の産生方法であって、該方法は、性別特徴によって前記精子細胞を分類する工程をさらに包含し、ここで、該哺乳動物の自然な授精量と比較して少ない数の精子を有する人工授精サンプルを確立する前記工程が、該哺乳動物の自然な授精量と比較して少ない数の精子を有する性別選択した人工授精サンプルを確立する工程を包含する、方法。
【００８２】
（項目５９）  項目５８に記載の哺乳動物の産生方法であって、前記ある１種の哺乳動物の雄から精子細胞を収集する工程が、ウシ科動物、ウマ科動物、またはブタからなる群より選択される１種の哺乳動物の雄から精子細胞を収集する工程を包含する、方法。
【００８３】
（項目６０）  項目５８に記載の哺乳動物の産生方法であって、前記精子細胞を凍結する工程をさらに包含する、方法。
【００８４】
（項目６１）  項目６０に記載の哺乳動物の産生方法であって、前記ある１種の哺乳動物の雄から精子細胞を収集する工程が、ウシ科動物、ウマ科動物、またはブタからなる群より選択される１種の哺乳動物の雄から精子細胞を収集する工程を包含する、方法。
【００８５】
（項目６２）  前記精子細胞を凍結する工程をさらに包含する、項目４０、９７、１３４、１４７、１５５、１８０、１９４、２１２、２２５に記載の哺乳動物の産生方法。
【００８６】
（項目６３）  項目６２に記載の哺乳動物の産生方法であって、前記ある１種の哺乳動物の雄から精子細胞を収集する工程が、ウシ科動物、ウマ科動物、またはブタからなる群より選択される１種の哺乳動物の雄から精子細胞を収集する工程を包含する、方法。
【００８７】
（項目６４）  項目４０、２９４、２３５、２２５、２１２、２０４、１９４、１８０、１５５、１４７、１３４に記載の哺乳動物の産生方法であって、前記吸引された授精サンプルの少なくとも一部を、前記種の哺乳動物の雌内の子宮卵管接合部の近位に置く工程が、該吸引された授精サンプルの少なくとも一部を、該種の哺乳動物の雌内の子宮卵管接合部の陰窩に置く工程を包含する、方法。
【００８８】
（項目６５）  項目４０、２９４、２３５、２２５、２１２、２０４、１９４、１８０、１５５、１４７、１３４に記載の哺乳動物の産生方法であって、前記種の哺乳動物の雌内の子宮卵管接合部の近位の表面に対する前記精子の付着を促進させる工程をさらに包含する、方法。
【００８９】
（項目６６）  項目６５に記載の哺乳動物の産生方法であって、前記種の哺乳動物の雌内の子宮卵管接合部の近位の表面に対する前記精子の付着を促進させる工程が、前記人工授精サンプルの少なくとも一部からフロスを作製する工程を包含する、方法。
【００９０】
（項目６７）  項目４０、２９４、２３５、２２５、２１２、２０４、１９４、１８０、１５５、１４７、１３４に記載の哺乳動物の産生方法であって、前記人工授精サンプルの少なくとも一部からフロスを作製する工程をさらに包含する、方法。
【００９１】
（項目６８）  項目４０、２９４、２３５、２２５、２１２、２０４、１９４、１８０、１５５、１４７、１３４、９７に記載の哺乳動物の産生方法であって、前記授精に望ましい精子および授精標本において子宮鏡に適合性の媒体を使用して、子宮鏡を用いる授精に適合性の容量で授精標本を確立する前記工程が、該精子細胞を希釈する工程を包含する、方法。
【００９２】
（項目６９）  項目６８に記載の哺乳動物の産生方法であって、前記精子細胞を希釈する工程が、２：１以下の比、５：１以下の比、１０：１以下の比からなる群より選択される該精子細胞の比に、脱脂乳培地を用いて、ＴＡＬＰ培地を用いて、ＨＥＰＥＳ緩衝化Ｔｙｒｏｄｅ培地を用いて、およびＡｎｄｒｏｈｅｐ培地を用いて希釈する工程を包含する、方法。
【００９３】
（項目７０）  項目６９に記載の哺乳動物の産生方法であって、前記授精に望ましい精子および授精標本において子宮鏡に適合性の媒体を使用して、子宮鏡を用いる授精に適合性の容量で授精標本を確立する前記工程が、おおよそ室温にて該授精標本を冷却する工程をさらに包含する、方法。
【００９４】
（項目７１）  項目４０、２９４、２３５、２２５、２１２、２０４、１９４、１８０、１５５、１４７、１３４、９７に記載の哺乳動物の産生方法であって、前記収集された精子細胞から、授精する可能性の高そうな精子細胞を選択する工程をさらに包含する、方法。
【００９５】
（項目７２）  項目７１に記載の哺乳動物の産生方法であって、前記授精に望ましい精子を選択する工程が、前記種の哺乳動物の雄から収集されたより運動性の精子を濃縮する工程を包含する、方法。
【００９６】
（項目７３）  項目７２に記載の哺乳動物の産生方法であって、前記種の哺乳動物の雄から収集されたより運動性の精子を濃縮する工程が、該精子をＰｅｒｃｏｌｌ勾配で遠心分離する工程を包含する、方法。
【００９７】
（項目７４）  項目７３に記載の哺乳動物の産生方法であって、前記精子をＰｅｒｃｏｌｌ勾配で遠心分離する工程が、９０：４５％のＰｅｒｃｏｌｌ勾配を使用する工程を包含する、方法。
【００９８】
（項目７５）  項目７２、７４に記載の哺乳動物の産生方法であって、前記精子をＰｅｒｃｏｌｌ勾配で遠心分離する工程が、以下：
ａ．約５分間約２００ｇにて該Ｐｅｒｃｏｌｌ勾配で該精子を遠心分離する工程；および
ｂ．約１０分間約８００ｇにて該Ｐｅｒｃｏｌｌ勾配で該精子を遠心分離する工程
をさらに包含する、方法。
【００９９】
（項目７６）  項目７２に記載の哺乳動物の産生方法であって、前記種の哺乳動物の雄から収集されたより運動性の精子を濃縮する工程が、該精子の濃度を最初の濃度の約２倍未満に制限する工程を包含する、方法。
【０１００】
（項目７７）  項目７２に記載の哺乳動物の産生方法であって、前記確立する工程が、約３０μｌと１５０μｌとの間、約５００μｌ未満、約２３０μｌ、および約１００μｌからなる群から選択される容量で、授精標本を確立する工程を包含する、方法。
【０１０１】
（項目７８）  項目４０、２９４、２３５、２２５、２１２、２０４、１９４、１８０、１５５、１４７、１３４、９７に記載の哺乳動物の産生方法であって、前記種の哺乳動物の雌の発情期を決定する工程が、該種の哺乳動物の雌において発情を誘導する工程を包含する、方法。
【０１０２】
（項目７９）  項目７８に記載の哺乳動物の産生方法であって、前記種の哺乳動物の雌において発情を誘導する工程が、以下：
ａ．該種の哺乳動物の雌に、約１０日間毎日、プロゲストゲン処理を与える工程；および
ｂ．該種の哺乳動物の雌に、約１０日間毎日、プロゲストゲン処理を与える工程を達成するおおよそ１０日目に、少なくとも１回クロプロステノール処理を与える工程、
を包含する、方法。
【０１０３】
（項目８０）  項目４０、２９４、２３５、２２５、２１２、２０４、１９４、１８０、１５５、１４７、１３４、９７に記載の哺乳動物の産生方法であって、前記授精標本の特性を変更する工程を開始して、該種の哺乳動物の雌が適切に受精することが決定された時期付近で、発情期付近にある人工授精サンプルを確立する工程をさらに包含する、方法。
【０１０４】
（項目８１）  項目８０に記載の哺乳動物の産生方法であって、前記授精標本の特性を変更する工程を開始して、前記種の哺乳動物の雌が適切にすることが決定された時間付近で、発情期付近にある人工授精サンプルを確立する工程が、以下：該種の哺乳動物の雌が適切に受精すること決定された該時期の約２４時間以内、該種の哺乳動物の雌が適切に受精すること決定された該時期の約１２時間以内、該種の哺乳動物の雌が適切に受精すること決定された該時期の約８時間以内、該種の哺乳動物の雌が適切に受精すること決定された該時期の約３時間以内、および該種の哺乳動物の雌が適切に受精すること決定された該時期の約１時間以内、からなる群から選択される時間内で、該授精標本の特性を変更する工程を開始する工程を包含する、方法。
【０１０５】
（項目８２）  項目４０、２９４、２３５、２２５、２１２、２０４、１９４、１８０、１５５、１４７、１３４、９７に記載の哺乳動物の産生方法であって、前記光学要素およびカテーテルを前記種の哺乳動物の雌の膣を通して導入する工程が、以下：
ａ．該光学要素および該カテーテルを、該種の哺乳動物の雌の頸部を通して導入する工程；
ｂ．該光学要素および該カテーテルを、該種の哺乳動物の雌の管腔を通して導入する工程；および
ｃ．該光学要素および該カテーテルを、該種の哺乳動物の雌の子宮角を通して導入する工程、
を包含する、方法。
【０１０６】
（項目８３）  項目８２に記載の哺乳動物の産生方法であって、前記光学要素およびカテーテルを前記種の哺乳動物の雌の頸部を通して導入する工程が、該光学要素および該カテーテルを、該種の哺乳動物の雌の頸部を通して手動で導入する工程を包含し、前記光学要素およびカテーテルを該種の哺乳動物の雌の管腔を通して導入する前記工程が、該光学要素および該カテーテルを、該種の哺乳動物の雌の管腔を通して手動で導入する工程を包含する、方法。
【０１０７】
（項目８４）  項目８２に記載の哺乳動物の産生方法であって、照射要素を前記光学要素の付近に挿入する工程をさらに包含する、方法。
【０１０８】
（項目８５）  項目８４に記載の哺乳動物の産生方法であって、前記照射要素をストロボする工程をさらに包含する、方法。
【０１０９】
（項目８６）  項目８５に記載の哺乳動物の産生方法であって、前記光学要素およびカテーテルを前記種の哺乳動物の雌の子宮角を通して導入する工程が、該光学要素および該カテーテルを、該種の哺乳動物の雌の子宮角を通して、光学的に導く工程を包含する、方法。
【０１１０】
（項目８７）  項目４０、２９４、２３５、２２５、２１２、２０４、１９４、１８０、１５５、１４７、１３４、９７に記載の哺乳動物の産生方法であって、前記種の哺乳動物の雌における優性な卵胞を決定する工程をさらに包含する、方法。
【０１１１】
（項目８８）  項目４０、２９４、２３５、２２５、２１２、２０４、１９４、１８０、１５５、１４７、１３４、９７に記載の哺乳動物の産生方法であって、少なくとも約３５ｍｍのサイズの排卵前の卵胞を観察する工程をさらに包含する、方法。
【０１１２】
（項目８９）  項目４０、２９４、２３５、２２５、２１２、２０４、１９４、１８０、１５５、１４７、１３４、９７に記載の哺乳動物の産生方法であって、ここで、前記カテーテルを前記種の哺乳動物の雌内の子宮卵管接合部の付近に位置決めする工程が、以下：
ａ．該子宮卵管接合部の約３〜５ｃｍ以内に該カテーテルを位置決めする工程；次いで
ｂ．該カテーテルを該子宮卵管接合部に接触させる工程、を包含する、方法。
【０１１３】
（項目９０）  項目４０、２９４、２３５、２２５、２１２、２０４、１９４、１８０、１５５、１４７、１３４、９７に記載の哺乳動物の産生方法であって、前記種の哺乳動物の雌の子宮に濾過空気を導入する工程をさらに包含する、方法。
【０１１４】
（項目９１）  項目９０に記載の哺乳動物の産生方法であって、前記種の哺乳動物の雌の子宮から空気を抜く工程をさらに包含する、方法。
【０１１５】
（項目９２）  項目４０、２９４、２３５、２２５、２１２、２０４、１９４、１８０、１５５、１４７、１３４、９７に記載の哺乳動物の産生方法であって、前記カテーテルから押出された前記人工授精サンプルの少なくとも一部を吸引して、吸引された授精サンプルを作製する工程をさらに包含する、方法。
【０１１６】
（項目９３）  哺乳動物を生成する方法であって、
ａ．ある１種の哺乳動物の雄から精子細胞を収集する工程；
ｂ．該精子細胞の少なくともいくらかを利用して、人工授精サンプルを確立する工程；
ｃ．カテーテル中に該人工授精サンプルを配置する工程；
ｄ．該種の該哺乳動物の雌が適切に受精する時期を決定する工程；
ｅ．該種の該哺乳動物の該雌中に光学要素を膣内挿入する工程；
ｆ．該種の該哺乳動物の該雌中に該カテーテルを膣内挿入する工程；
ｇ．該種の該哺乳動物の該雌の該膣を通して、該光学要素および該カテーテルを導く工程；
ｈ．該種の該哺乳動物の該雌内にて、子宮卵管接合部を光学的に位置付ける工程；
ｉ．該種の該哺乳動物の該雌内の該子宮卵管接合部の近傍の表面の下に、該カテーテルを挿入する工程；
ｊ．該種の該哺乳動物の該雌内の該子宮卵管接合部の近傍にある該表面の下に、該カテーテルから、該人口授精サンプルの少なくとも一部を押出す工程；
ｋ．該種の該哺乳動物の該雌内の該子宮卵管接合部の近傍の該表面の下に、該人口授精サンプルの少なくとも一部を置く工程；
ｌ．該種の該哺乳動物の該雌から、該光学要素および該カテーテルを引き出す工程；
ｍ．該種の該哺乳動物の該雌の卵を受精させる工程；ならびに
ｎ．該受精卵から、子孫の哺乳動物を生成する工程；
を包含する、方法。
【０１１７】
（項目９４）  項目９３に記載の哺乳動物を生成する方法であって、前記カテーテル中に前記人工授精サンプルを配置する工程が、該カテーテル中に少ない数の精子を配置する工程を包含する、方法。
【０１１８】
（項目９５）  項目９４に記載の哺乳動物を生成する方法であって、前記カテーテル中に少ない数の精子を配置する工程が、約１０００万個未満の精子、約５００万個未満の精子、約２００万個未満の精子、約１００万個未満の精子、約５０万個未満の精子、および約１０万個未満の精子からなる群より選択される数の精子を配置する工程を包含する、方法。
【０１１９】
（項目９６）  項目９５に記載の哺乳動物を生成する方法であって、従来の子宮体人工授精プロセスに統計的に匹敵する成功レベルでの前記種の哺乳動物の雌の卵を受精させる工程が、該種の該哺乳動物の該雌の卵を受精させる工程を包含し、該成功レベルが、
少なくとも約０．０５より大きいかまたは少なくとも約０．０５に等しい統計的Ｐ値で、従来の子宮体人工授精プロセスに統計的に匹敵する成功レベルで、該種の該哺乳動物の該雌の卵を受精させる工程、
少なくとも約０．０５より大きいかまたは少なくとも約０．０５に等しい統計的Ｐ値で、５億個のウマ精子サンプルを使用する従来の子宮体人工授精プロセスに統計的に匹敵する成功レベルで、該種の該哺乳動物の該雌の卵を受精させる工程、
少なくとも約８０％より大きいかまたは少なくとも約８０％に等しい統計的β値で、従来の子宮体人工授精プロセスに統計的に匹敵する成功レベルで、該種の該哺乳動物の該雌の卵を受精させる工程、
少なくとも約０．０５より大きいかまたは少なくとも約０．０５に等しい統計的Ｐ値および少なくとも約８０％より大きいかまたは少なくとも約８０％に等しい統計的β値の両方で、従来の子宮体人工授精プロセスに統計的に匹敵する成功レベルで、該種の該哺乳動物の該雌の卵を受精させる工程、
からなる群より選択される、方法。
【０１２０】
（項目９７）  項目９５に記載の哺乳動物を生成する方法であって、前記受精させる工程が、従来の子宮体人工授精プロセスに統計的に匹敵する成功レベルで、前記種の前記哺乳動物の前記雌の卵を受精させる工程を包含し、該成功レベルが、少なくとも約７５％の成功率、少なくとも約６５％の成功率、少なくとも約６０％の成功率、少なくとも約５０％の成功率、少なくとも約４５％の成功率、および前記種についての従来の人工授精の少なくとも約９０％からなる群より選択される、方法。
【０１２１】
（項目９８）  項目９７に記載の哺乳動物を生成する方法であって、前記受精させる工程が、従来の子宮体人工授精プロセスに統計的に匹敵する成功レベルで、前記種の前記哺乳動物の前記雌の卵を受精させる工程を包含し、該成功レベルが、
少なくとも約０．０５より大きいかまたは少なくとも約０．０５に等しい統計的Ｐ値で、従来の子宮体人工授精プロセスに統計的に匹敵する成功レベルで、該種の該哺乳動物の該雌の卵を受精させる工程、
少なくとも約０．０５より大きいかまたは少なくとも約０．０５に等しい統計的Ｐ値で、５億個のウマ精子サンプルを使用する従来の子宮体人工授精プロセスに統計的に匹敵する成功レベルで、該種の該哺乳動物の該雌の卵を受精させる工程、
少なくとも約８０％より大きいかまたは少なくとも約８０％に等しい統計的β値で、従来の子宮体人工授精プロセスに統計的に匹敵する成功レベルで、該種の該哺乳動物の該雌の卵を受精させる工程、
少なくとも約０．０５より大きいかまたは少なくとも約０．０５に等しい統計的Ｐ値および少なくとも約８０％より大きいかまたは少なくとも約８０％に等しい統計的β値の両方で、従来の子宮体人工授精プロセスに統計的に匹敵する成功レベルで、該種の該哺乳動物の該雌の卵を受精させる工程、
からなる群より決定される、方法。
【０１２２】
（項目９９）  項目９７に記載の哺乳動物を生成する方法であって、前記ある１種の哺乳動物の雄から精子細胞を収集する工程が、ウシ科動物、ウマ科動物、またはブタからなる群より選択される１種の哺乳動物の雄から精子細胞を収集する工程を包含する、方法。
【０１２３】
（項目１００）  項目９３に記載の哺乳動物を生成する方法であって、前記収集された精子細胞から、授精をより達成しそうな精子を選択する工程をさらに包含する、方法。
【０１２４】
（項目１０１）  項目１００に記載の哺乳動物を生成する方法であって、前記授精に望ましい精子を選択する工程が、前記哺乳動物の雄の種から収集されたより運動性の精子を濃縮する工程を包含する、方法。
【０１２５】
（項目１０２）  項目１０１に記載の哺乳動物を生成する方法であって、前記哺乳動物の雄の種から収集されたより運動性の精子を濃縮する工程が、Ｐｅｒｃｏｌｌ勾配によって該精子を遠心分離する工程を包含する、方法。
【０１２６】
（項目１０３）  項目１０２に記載の哺乳動物を生成する方法であって、前記Ｐｅｒｃｏｌｌ勾配によって該精子を遠心分離する工程が、９０：４５％Ｐｅｒｃｏｌｌ勾配を利用する工程を包含する、方法。
【０１２７】
（項目１０４）  項目１０１に記載の哺乳動物を生成する方法であって、前記哺乳動物の雄の種から収集されたより運動性の精子を濃縮する工程が、該精子の濃度を、開始濃度の約２倍未満に制限する工程を包含する、方法。
【０１２８】
（項目１０５）  項目９３に記載の哺乳動物を生成する方法であって、前記ある１種の哺乳動物の雄から精子細胞を収集する工程が、ウシ科動物、ウマ科動物、またはブタからなる群より選択される１種の哺乳動物の雄から精子細胞を収集する工程を包含する、方法。
【０１２９】
（項目１０６）  項目９３に記載の哺乳動物を生成する方法であって、前記確立する工程が、約３０μｌと１５０μｌとの間、約５００μｌ未満、約２３０μｌ、および約１００μｌからなる群より選択される容積で、授精標本を確立する工程を包含する、方法。
【０１３０】
（項目１０７）  項目９３に記載の哺乳動物を生成する方法であって、前記ある１種の哺乳動物の雄から精子細胞を収集する工程が、ある１種の哺乳動物の雄から精巣上体精子細胞を収集する工程を包含する、方法。
【０１３１】
（項目１０８）  項目９３に記載の哺乳動物を生成する方法であって、前記種の哺乳動物の雌内の子宮卵管接合部の近傍の表面の下にカテーテルを挿入する工程が、該種の該哺乳動物の該雌内の子宮の子宮内膜表面に貫入する工程を包含する、方法。
【０１３２】
（項目１０９）  項目１０８に記載の哺乳動物を生成する方法であって、前記種の哺乳動物の雌内の子宮卵管接合部の近傍の表面の下にカテーテルを挿入する工程が、該種の該動物の該雌の該子宮の血管新生化部分に貫入することを避ける工程をさらに包含する、方法。
【０１３３】
（項目１１０）  項目９３に記載の哺乳動物を生成する方法であって、前記種の哺乳動物の雌の子宮内の子宮内膜表面に貫入する工程が、前記カテーテルを利用する工程を包含する、方法。
【０１３４】
（項目１１１）  項目１１０に記載の哺乳動物を生成する方法であって、前記種の哺乳動物の雌内の子宮の子宮内膜表面に前記カテーテルが貫入する深さを制御する工程をさらに包含する、方法。
【０１３５】
（項目１１２）  項目１１１に記載の哺乳動物を生成する方法であって、種の哺乳動物の雌内の子宮の子宮内膜表面に前記カテーテルが貫入する深さを制御する工程が、該カテーテルを利用する工程を包含する、方法。
【０１３６】
（項目１１３）  授精用閉じ込め要素であって、以下：
ａ．セル状基部表面；
ｂ．該セル状基部表面に隣接する、セル状カバー表面；
ｃ．該セル状基部表面と該セル状被覆表面との間の、実質的に覆い隠された容積；
ｄ．該実質的に覆い隠された容積内に位置付けられた、ある１種の哺乳動物の雄由来の精子細胞；および
ｅ．該実質的に覆い隠された容積に隣接し、そして該精子細胞が通過し得る、精子放出要素、
を備える、授精抑制要素。
【０１３７】
（項目１１４）  項目１１３に記載の授精抑制要素であって、前記実質的に覆い隠された容積内に位置付けられたある１種の哺乳動物の雄由来の精子細胞が、自然な授精において代表的に見出される精子細胞の数と比較して少ない数の精子細胞を含む、授精抑制要素。
【０１３８】
（項目１１５）  項目１１４に記載の授精抑制要素であって、前記自然な授精において代表的に見出される精子細胞の数と比較して少ない数の精子細胞が、約１０００万個未満の精子、約５００万個未満の精子、約２００万個未満の精子、約１００万個未満の精子、約５０万個未満の精子、および約１０万個未満の精子からなる群より選択される数の精子細胞を含む、授精抑制要素。
【０１３９】
（項目１１６）  項目１１５に記載の授精抑制要素であって、前記精子細胞が、ウシ科動物、ウマ科動物、またはブタからなる群より選択される１種の哺乳動物の雄由来の精子細胞を含む、授精抑制要素。
【０１４０】
（項目１１７）  項目１１３に記載の授精抑制要素であって、前記実質的に覆い隠された容積内に位置付けられたある１種の哺乳動物の雄由来の精子細胞が、収集された精子細胞から選択された、より授精を達成しそうである精子細胞を含む、授精抑制要素。
【０１４１】
（項目１１８）  項目１１７に記載の授精抑制要素であって、前記収集された精子細胞から選択された、より授精を達成しそうである精子細胞が、前記種の哺乳動物から収集された、より運動性の精子であるように選択された精子細胞を含む、授精抑制要素。
【０１４２】
（項目１１９）  項目１１３に記載の授精抑制要素であって、前記実質的に覆い隠された容積内に位置付けられたある１種の哺乳動物の雄由来の精子細胞が、新鮮な精子細胞を含む、授精抑制要素。
【０１４３】
（項目１２０）  項目１１３に記載の授精抑制要素であって、前記実質的に覆い隠された容積内に位置付けられたある１種の哺乳動物の雄由来の精子細胞が、授精容積を有し、そして該授精容積が、約３０μｌと１５０μｌとの間、約５００μｌ未満、約２３０μｌ、および約１００μｌからなる群より選択される容積を含む、授精抑制要素。
【０１４４】
（項目１２１）  項目１１３に記載の授精抑制要素であって、前記実質的に覆い隠された容積内に位置付けられたある１種の哺乳動物の雄由来の精子細胞が、ある１種の哺乳動物の雄由来の精巣上体精子細胞を含む、授精抑制要素。
【０１４５】
（項目１２２）  項目１１５に記載の授精抑制要素であって、前記実質的に覆い隠された容積内に位置付けられたある１種の哺乳動物の雄由来の精子細胞が、ある１種の哺乳動物の雄由来の性選択された精子細胞を含む、授精抑制要素。
【０１４６】
（項目１２３）  項目１２２に記載の授精抑制要素であって、前記ある１種の哺乳動物の雄由来の性選択された精子細胞が、ウシ科動物、ウマ科動物、またはブタからなる群より選択される１種の哺乳動物の雄由来の精子細胞を含む、授精抑制要素。
【０１４７】
（項目１２４）  項目１１５に記載の授精抑制要素であって、前記細胞基部表面と細胞被覆表面との間の実質的に覆い隠された容積が、前記種の哺乳動物の雌内の子宮卵管接合部の近傍に位置付けられている、授精抑制要素。
【０１４８】
（項目１２５）  項目１２４に記載の授精抑制要素であって、前記細胞基部表面に隣接する細胞被覆表面が、前記種の哺乳動物の雌内の子宮の子宮内膜表面を含む、授精抑制要素。
【０１４９】
（項目１２６）  項目１２５に記載の授精抑制要素であって、前記細胞基部表面が、前記種の哺乳動物の雌の子宮の血管新生化部分を含む、授精抑制要素。
【０１５０】
（項目１２７）  項目１１５に記載の授精抑制要素であって、前記実質的に覆い隠された容積に隣接しそして該精子細胞が通過し得る精子放出要素が、前記種の哺乳動物の雌内の子宮の子宮内膜表面内の裂け目を含む、授精抑制要素。
【０１５１】
（項目１２８）  授精カテーテルであって、以下：
ａ．ガイド要素；
ｂ．該ガイド要素に応答性のレザバ要素；
ｃ．該レザバ要素が応答性である押出し要素；
ｄ．該レザバ要素の前面に位置決めされた、細胞貫入先端、
を備える、授精カテーテル。
【０１５２】
（項目１２９）  項目１２８に記載される授精カテーテルであって、前記細胞貫入端の付近に位置する貫入深さ制御要素をさらに備える、授精カテーテル。
【０１５３】
（項目１３０）  哺乳動物を産生する方法であって、
ａ．哺乳動物種の雄から精子細胞を収集する工程；
ｂ．該収集した精子細胞から、授精を達成する可能性がより高い精子細胞を選択する工程；
ｃ．該授精に望ましい精子を使用して、人工授精サンプルを確立する工程；
ｄ．カテーテル中に該人工授精サンプルを配置する工程；
ｅ．該哺乳動物種の雌が適切に受精する時期を決定する工程；
ｆ．該哺乳動物種の雌中に光学要素を膣内挿入する工程；
ｇ．該哺乳動物種の雌中に該カテーテルを膣内挿入する工程；
ｈ．該哺乳動物種の雌の該膣を通して、該光学要素および該カテーテルを導く工程；
ｉ．該哺乳動物種の雌内にて、子宮卵管接合部を光学的に位置確認する工程；
ｊ．該哺乳動物種の雌内の該子宮卵管接合部の近傍に、該カテーテルを位置づける工程；
ｋ．該哺乳動物種の雌内の該子宮卵管接合部の近傍にある表面の下に、該カテーテルから、該人工授精サンプルの少なくとも一部を押し出す工程；
ｌ．該哺乳動物種の雌内の該子宮卵管接合部の近傍に、該人工授精サンプルの少なくとも一部を置く工程；
ｍ．該哺乳動物種の雌から、該光学要素および該カテーテルを引き出す工程；
ｎ．該哺乳動物種の雌の卵を受精させる工程；ならびに
ｏ．該受精した卵から、子孫哺乳動物を産生する工程；
を包含する、方法。
【０１５４】
（項目１３１）  項目１３０に記載される哺乳動物を産生する方法であって、前記カテーテル中に前記人工授精サンプルを配置する工程が、該カテーテル中に小さい数の精子を配置する工程を包含する、方法。
【０１５５】
（項目１３２）  項目１３１に記載される哺乳動物を産生する方法であって、前記カテーテル中に小さい数の精子を配置する工程が、約１，０００万個未満の精子、約５００万個未満の精子、約２００万個未満の精子、約１００万個未満の精子、約５０万個未満の精子、および約１０万個未満の精子からなる群より選択される数の精子を配置する工程を包含する、方法。
【０１５６】
（項目１３３）  項目１３２に記載される哺乳動物を産生する方法であって、前記受精させる工程が、従来の子宮体人工授精プロセスに対して、統計学的に匹敵する成功レベルで、前記種の前記哺乳動物の前記雌の卵を受精させる工程を包含し、該成功レベルが、以下：
少なくとも約０．０５以上である統計学的Ｐ値で、従来の子宮体人工授精プロセスと統計学的に匹敵する成功レベルで、前記種の前記哺乳動物の前記雌の卵を受精させる工程；
少なくとも約０．０５以上である統計学的Ｐ値で、５億個のウマ精子サンプルを使用する従来の子宮体人工授精プロセスと統計学的に匹敵する成功レベルで、前記種の前記哺乳動物の前記雌の卵を受精させる工程；
少なくとも約８０％以上である統計学的β値で、従来の子宮体人工授精プロセスと統計学的に匹敵する成功レベルで、前記種の前記哺乳動物の前記雌の卵を受精させる工程；
少なくとも約０．０５以上である統計学的Ｐ値かつ少なくとも約８０％以上である統計学的β値で、従来の子宮体人工授精プロセスと統計学的に匹敵する成功レベルで、前記種の前記哺乳動物の前記雌の卵を受精させる工程；
からなる群より決定される、方法。
【０１５７】
（項目１３４）  項目１３２に記載される哺乳動物を産生する方法であって、前記受精させる工程が、従来の子宮体人工授精プロセスに対して、統計学的に匹敵する成功レベルで、前記種の前記哺乳動物の前記雌の卵を受精させる工程を包含し、該成功レベルが、以下：少なくとも約７５％の成功率、少なくとも約６５％の成功率、少なくとも約６０％の成功率、少なくとも約５０％の成功率、少なくとも約４５％の成功率、および前記種についての従来の人工授精の少なくとも約９０％からなる群より選択される、方法。
【０１５８】
（項目１３５）  項目１３４に記載される哺乳動物を産生する方法であって、前記受精させる工程が、従来の子宮体人工授精プロセスに対して、統計学的に匹敵する成功レベルで、前記種の前記哺乳動物の前記雌の卵を受精させる工程を包含し、該成功レベルが、以下：
少なくとも約０．０５以上である統計学的Ｐ値で、従来の子宮体人工授精プロセスと統計学的に匹敵する成功レベルで、前記種の前記哺乳動物の前記雌の卵を受精させる工程；
少なくとも約０．０５以上である統計学的Ｐ値で、５億個のウマ精子サンプルを使用する従来の子宮体人工授精プロセスと統計学的に匹敵する成功レベルで、前記種の前記哺乳動物の前記雌の卵を受精させる工程；
少なくとも約８０％以上である統計学的β値で、従来の子宮体人工授精プロセスと統計学的に匹敵する成功レベルで、前記種の前記哺乳動物の前記雌の卵を受精させる工程；
少なくとも約０．０５以上である統計学的Ｐ値かつ少なくとも約８０％以上である統計学的β値で、従来の子宮体人工授精プロセスと統計学的に匹敵する成功レベルで、前記種の前記哺乳動物の前記雌の卵を受精させる工程；
からなる群より決定される、方法。
【０１５９】
（項目１３６）  項目１３４に記載される哺乳動物を産生する方法であって、前記哺乳動物種の雄から精子細胞を収集する工程が、ウシ科動物、ウマ科動物、またはブタからなる群より選択される哺乳動物種の雄から精子細胞を収集する工程を包含する、方法。
【０１６０】
（項目１３７）  項目１３４に記載される哺乳動物を産生する方法であって、前記授精に望ましい精子を選択する工程が、前記種の前記哺乳動物の前記雄から収集した、より運動性が高い精子を濃縮する工程を包含する、方法。
【０１６１】
（項目１３８）  項目１３７に記載される哺乳動物を産生する方法であって、前記種の前記哺乳動物の前記雄から収集した、より運動性が高い精子を濃縮する工程が、パーコール勾配を介して該精子を遠心分離する工程を包含する、方法。
【０１６２】
（項目１３９）  項目１３８に記載される哺乳動物を産生する方法であって、前記パーコール勾配を介して前記精子を遠心分離する工程が、９０：４５％パーコール勾配を使用する工程を包含する、方法。
【０１６３】
（項目１４０）  項目１３７、１３９に記載される哺乳動物を産生する方法であって、前記パーコール勾配を介して前記精子を遠心分離する工程が、
ａ．約２００ｇで約５分間、該パーコール勾配を介して該精子を遠心分離する工程；および
ｂ．約８００ｇで約１０分間、該パーコール勾配を介して該精子を遠心分離する工程；
をさらに包含する、方法。
【０１６４】
（項目１４１）  項目１３７に記載される哺乳動物を産生する方法であって、前記種の前記哺乳動物の前記雄から収集された前記より運動性が高い精子を濃縮する工程が、該精子の濃度を開始濃度の約２倍未満まで制限する工程を包含する、方法。
【０１６５】
（項目１４２）  項目１３７に記載される哺乳動物を産生する方法であって、前記確立する工程が、約３０μｌと約１５０μｌとの間、約５００μｌ未満、約２３０μｌ未満、および約１００μｌ未満からなる群より選択される体積で、授精標本を確立する工程を包含する、方法。
【０１６６】
（項目１４３）  哺乳動物を産生する方法であって、
ａ．哺乳動物種の雄から精子細胞を収集する工程；
ｂ．新鮮な精子を使用して、人工授精サンプルを確立する工程；
ｃ．カテーテル中に該人工授精サンプルを配置する工程；
ｄ．該哺乳動物種の雌が適切に受精する時期を決定する工程；
ｅ．該哺乳動物種の雌中に光学要素を膣内挿入する工程；
ｆ．該哺乳動物種の雌中に該カテーテルを膣内挿入する工程；
ｇ．該哺乳動物種の雌の該膣を通して、該光学要素および該カテーテルを導く工程；
ｈ．該哺乳動物種の雌内にて、子宮卵管接合部を光学的に位置確認する工程；
ｉ．該哺乳動物種の雌内の該子宮卵管接合部の近傍に、該カテーテルを位置づける工程；
ｊ．該カテーテルから、該人工授精サンプルの少なくとも一部を押し出す工程；
ｋ．該哺乳動物種の雌内の該子宮卵管接合部の近傍に、該人工授精サンプルの少なくとも一部を沈着させる工程；
ｌ．該哺乳動物種の雌から、該光学要素および該カテーテルを引き出す工程；
ｍ．該哺乳動物種の雌の卵を受精させる工程；ならびに
ｎ．該受精した卵から、子孫哺乳動物を産生する工程；
を包含する、方法。
【０１６７】
（項目１４４）  項目１４３に記載される哺乳動物を産生する方法であって、前記カテーテル中に前記人工授精サンプルを配置する工程が、該カテーテル中に小さい数の精子を配置する工程を包含する、方法。
【０１６８】
（項目１４５）  項目１４４に記載される哺乳動物を産生する方法であって、前記カテーテル中に小さい数の精子を配置する工程が、約１，０００万個未満の精子、約５００万個未満の精子、約２００万個未満の精子、約１００万個未満の精子、約５０万個未満の精子、および約１０万個未満の精子からなる群より選択される数の精子を配置する工程を包含する、方法。
【０１６９】
（項目１４６）  項目１４５に記載される哺乳動物を産生する方法であって、前記受精させる工程が、従来の子宮体人工授精プロセスに対して、統計学的に匹敵する成功レベルで、前記種の前記哺乳動物の前記雌の卵を受精させる工程を包含し、該成功レベルが、以下：
少なくとも約０．０５以上である統計学的Ｐ値で、従来の子宮体人工授精プロセスと統計学的に匹敵する成功レベルで、前記種の前記哺乳動物の前記雌の卵を受精させる工程；
少なくとも約０．０５以上である統計学的Ｐ値で、５億個のウマ精子サンプルを使用する従来の子宮体人工授精プロセスと統計学的に匹敵する成功レベルで、前記種の前記哺乳動物の前記雌の卵を受精させる工程；
少なくとも約８０％以上である統計学的β値で、従来の子宮体人工授精プロセスと統計学的に匹敵する成功レベルで、前記種の前記哺乳動物の前記雌の卵を受精させる工程；
少なくとも約０．０５以上である統計学的Ｐ値かつ少なくとも約８０％以上である統計学的β値で、従来の子宮体人工授精プロセスと統計学的に匹敵する成功レベルで、前記種の前記哺乳動物の前記雌の卵を受精させる工程；
からなる群より決定される、方法。
【０１７０】
（項目１４７）  項目１４５に記載される哺乳動物を産生する方法であって、前記受精させる工程が、従来の子宮体人工授精プロセスに対して、統計学的に匹敵する成功レベルで、前記種の前記哺乳動物の前記雌の卵を受精させる工程を包含し、該成功レベルが、以下：少なくとも約７５％の成功率、少なくとも約６５％の成功率、少なくとも約６０％の成功率、少なくとも約５０％の成功率、少なくとも約４５％の成功率、および前記種についての従来の人工授精の少なくとも約９０％からなる群より選択される、方法。
【０１７１】
（項目１４８）  項目１４７に記載される哺乳動物を産生する方法であって、前記受精させる工程が、従来の子宮体人工授精プロセスに対して、統計学的に匹敵する成功レベルで、前記種の前記哺乳動物の前記雌の卵を受精させる工程を包含し、該成功レベルが、以下：
少なくとも約０．０５以上である統計学的Ｐ値で、従来の子宮体人工授精プロセスと統計学的に匹敵する成功レベルで、前記種の前記哺乳動物の前記雌の卵を受精させる工程；
少なくとも約０．０５以上である統計学的Ｐ値で、５億個のウマ精子サンプルを使用する従来の子宮体人工授精プロセスと統計学的に匹敵する成功レベルで、前記種の前記哺乳動物の前記雌の卵を受精させる工程；
少なくとも約８０％以上である統計学的β値で、従来の子宮体人工授精プロセスと統計学的に匹敵する成功レベルで、前記種の前記哺乳動物の前記雌の卵を受精させる工程；
少なくとも約０．０５以上である統計学的Ｐ値かつ少なくとも約８０％以上である統計学的β値で、従来の子宮体人工授精プロセスと統計学的に匹敵する成功レベルで、前記種の前記哺乳動物の前記雌の卵を受精させる工程；
からなる群より決定される、方法。
【０１７２】
（項目１４９）  項目１４７に記載される哺乳動物を産生する方法であって、前記哺乳動物種の雄から精子細胞を収集する工程が、ウシ科動物、ウマ科動物、またはブタからなる群より選択される哺乳動物種の雄から精子を収集する工程を包含する、方法。
【０１７３】
（項目１５０）  項目１４３に記載される哺乳動物を産生する方法であって、前記哺乳動物種の雄から精子細胞を収集する工程が、ある一哺乳動物種の雄から精巣上体精子細胞を収集する工程を包含する、方法。
【０１７４】
（項目１５１）  哺乳動物を産生する方法であって、
ａ．哺乳動物種の雄から精子細胞を収集する工程；
ｂ．子宮鏡適合性媒体を使用して、人工授精サンプルを確立する工程；
ｃ．カテーテル中に該人工授精サンプルを配置する工程；
ｄ．該哺乳動物種の雌が適切に受精する時期を決定する工程；
ｅ．該哺乳動物種の雌中に光学要素を膣内挿入する工程；
ｆ．該哺乳動物種の雌中に該カテーテルを膣内挿入する工程；
ｇ．該哺乳動物種の雌の該膣を通して、該光学要素および該カテーテルを導く工程；
ｈ．該哺乳動物種の雌内にて、子宮卵管接合部を光学的に位置確認する工程；
ｉ．該哺乳動物種の雌内の該子宮卵管接合部の近傍に、該カテーテルを位置づける工程；
ｊ．該カテーテルから、該人工授精サンプルの少なくとも一部を押し出す工程；
ｋ．該哺乳動物種の雌内の該子宮卵管接合部の近傍に、該人工授精サンプルの少なくとも一部を置く工程；
ｌ．該哺乳動物種の雌から、該光学要素および該カテーテルを引き出す工程；
ｍ．該哺乳動物種の雌の卵を受精させる工程；ならびに
ｎ．該受精した卵から、子孫哺乳動物を産生する工程；
を包含する、方法。
【０１７５】
（項目１５２）  項目１５１に記載される哺乳動物を産生する方法であって、前記カテーテル中に前記人工授精サンプルを配置する工程が、該カテーテル中に小さい数の精子を配置する工程を包含する、方法。
【０１７６】
（項目１５３）  項目１５２に記載の哺乳動物の産生方法であって、ここで、前記少数の精子を前記カテーテルに置く工程が、約１０００万未満の精子、約５００万未満の精子、約２００万未満の精子、約１００万未満の精子、約５０万未満の精子、および約１０万未満の精子からなる群から選択される複数の精子を配置する工程を包含する、方法。
【０１７７】
（項目１５４）  項目１５３に記載の哺乳動物の産生方法であって、前記受精させる工程が、前記哺乳動物種の雌の卵を、従来の子宮体の人工授精プロセスに統計的に匹敵する成功レベルで受精させる工程を包含し、該成功レベルは、以下：
該哺乳動物種の雌の卵を、少なくとも約０．０５以上の統計的なＰ値で、従来の子宮体の人工授精プロセスに統計的に匹敵する成功レベルで受精させる工程、
該哺乳動物種の雌の卵を、少なくとも約０．０５以上の統計的なＰ値で、５億のウマ精子サンプルを使用する従来の子宮体の人工授精プロセスに統計的に匹敵する成功レベルで受精させる工程、
該哺乳動物種の雌の卵を、少なくとも約８０％以上の統計的なβ値で、従来の子宮体の人工授精プロセスに統計的に匹敵する成功レベルで受精させる工程、
該哺乳動物種の雌の卵を、少なくとも約０．０５以上の統計的なＰ値、および少なくとも８０％以上の統計的なβ値の両方で、従来の子宮体の人工授精プロセスに統計的に匹敵する成功レベルで受精させる工程、
からなる群から決定される、方法。
【０１７８】
（項目１５５）  項目１５３に記載の哺乳動物の産生方法であって、前記受精させる工程が、前記哺乳動物種の雌の卵を従来の子宮体の人工授精プロセスに統計的に匹敵する成功レベルで受精させる工程を包含し、該成功レベルが、該種の従来の人工授精の少なくとも約７５％の成功率、少なくとも約６５％の成功率、少なくとも約６０％の成功率、少なくとも約５０％の成功率、少なくとも約４５％の成功率、および少なくとも約９０％の成功率からなる群から選択される、方法。
【０１７９】
（項目１５６）  項目１５５に記載の哺乳動物の産生方法であって、前記受精させる工程が、前記哺乳動物種の雌の卵を、従来の子宮体の人工授精プロセスに統計的に匹敵する成功レベルで受精させる工程を包含し、該成功レベルは、以下：
該哺乳動物種の雌の卵を、少なくとも約０．０５以上の統計的なＰ値で、従来の子宮体の人工授精プロセスに統計的に匹敵する成功レベルで受精させる工程、
該哺乳動物種の雌の卵を、少なくとも約０．０５以上の統計的なＰ値で、５億のウマ精子サンプルを使用する従来の子宮体の人工授精プロセスに統計的に匹敵する成功レベルで受精させる工程、
該哺乳動物種の雌の卵を、少なくとも約８０％以上の統計的なβ値で、従来の子宮体の人工授精プロセスに統計的に匹敵する成功レベルで受精させる工程、
該哺乳動物種の雌の卵を、少なくとも約０．０５以上の統計的なＰ値、および少なくとも８０％以上の統計的なβ値の両方で、従来の子宮体の人工授精プロセスに統計的に匹敵する成功レベルで受精させる工程、
からなる群から決定される、方法。
【０１８０】
（項目１５７）  前記哺乳動物種の雄から精子細胞を収集する工程が、ウシ、ウマまたはブタからなる群から選択されるある哺乳動物種の雄から精子細胞を収集する工程を包含する、項目１５５に記載の哺乳動物の産生方法。
【０１８１】
（項目１５８）  子宮鏡検査に適合性の媒体を使用して人工授精サンプルを確立する工程が、脱脂乳媒体を使用する工程を包含する、項目１５１に記載の哺乳動物の産生方法。
【０１８２】
（項目１５９）  前記子宮鏡検査に適合性の媒体を使用して人工授精サンプルを確立する工程が、ＴＡＬＰ培地、ＨＥＰＥＳ緩衝化タイロード培地、およびアンドロヘップ培地からなる群から選択される媒体を使用する工程を包含する、項目１５１に記載の哺乳動物の産生方法。
【０１８３】
（項目１６０）  前記子宮鏡検査に適合性の媒体を使用して人工授精サンプルを確立する工程が、カテーテルで調整した粘性を有する媒体を利用する工程を包含する、項目１５１に記載の哺乳動物の産生方法。
【０１８４】
（項目１６１）  前記カテーテルで調整した粘性を有する媒体を利用する工程が、前記哺乳動物の血液よりも高い粘性を有する人工受精サンプルを作製する媒体を利用する工程を包含する、項目１６０に記載の哺乳動物の産生方法。
【０１８５】
（項目１６２）  前記カテーテルで調整した粘性を有する媒体を利用する工程が、生理食塩水よりも高い粘性を有する人工受精サンプルを作製する媒体を利用する工程をさらに包含する、項目１６１に記載の哺乳動物の産生方法。
【０１８６】
（項目１６３）  項目１６１に記載の哺乳動物の産生方法であって、前記カテーテルで調整した粘性を有する媒体を利用する工程が、哺乳動物のほぼ平均体温において、それぞれ、約１００ｃｐより高い粘性を有する媒体；約３００ｃｐより高い粘性を有する媒体；約１０００ｃｐより高い粘性を有する媒体；約３０００ｃｐより高い粘性を有する媒体；および約６０００ｃｐより高い粘性を有する媒体からなる群から選択される媒体を利用する工程を包含する、方法。
【０１８７】
（項目１６４）  子宮鏡検査受精サンプルであって、以下：
ａ．レザバ要素；
ｂ．該レザバ要素が応答性であるカテーテルシステム；
ｃ．該レザバ要素内に含まれる複数の精子細胞；および
ｄ．該レザバ要素内に含まれ、かつ該精子細胞が応答性である、子宮鏡検査に適合性の媒体、
を備える、子宮鏡検査受精サンプル。
【０１８８】
（項目１６５）  前記レザバ要素内に含まれる複数の精子細胞が、天然の受精において典型的に見出される精子細胞の数と比較した場合に、少ない数の精子細胞を含む、項目１６４に記載の受精封じ込め要素。
【０１８９】
（項目１６６）  項目１６５に記載の受精封じ込め要素であって、天然の受精において典型的に見出される精子細胞の数と比較した場合に、少ない数の前記精子細胞が、約１０００万未満の精子、約５００万未満の精子、約２００万未満の精子、約１００万未満の精子、約５０万未満の精子、および約１０万未満の精子からなる群から選択される複数の精子を含む、受精封じ込め要素。
【０１９０】
（項目１６７）  前記精子細胞が、ウシ、ウマまたはブタからなる群から選択されるある哺乳動物種の雄由来の精子細胞を含む、項目１６６に記載の受精封じ込め要素。
【０１９１】
（項目１６８）  前記レザバ要素内に含まれる複数の精子細胞が、ある哺乳動物種の雄由来の性が選択された精子細胞を含む、項目１６６に記載の受精封じ込め要素。
【０１９２】
（項目１６９）  前記哺乳動物種の雄由来の性別が選択された前記精子細胞が、ウシ、ウマまたはブタからなる群から選択される哺乳動物種の雄由来の精子細胞を含む、項目１６８に記載の受精封じ込め要素。
【０１９３】
（項目１７０）  前記レザバ要素内に含まれ、かつ前記精子が応答性である、前記子宮鏡検査に適合性の媒体が、脱脂乳媒体を含む、項目１６４に記載の子宮鏡検査受精サンプル。
【０１９４】
（項目１７１）  前記レザバ要素内に含まれ、かつ前記精子が応答性である、前記子宮鏡検査に適合性の媒体が、ＴＡＬＰ培地、ＨＥＰＥＳ緩衝化タイロード培地、およびアンドロヘップ培地からなる群から選択される媒体を含む、項目１６４に記載の子宮鏡検査受精サンプル。
【０１９５】
（項目１７２）  前記レザバ要素内に含まれ、かつ前記精子が応答性である、前記子宮鏡検査に適合性の媒体が、カテーテルで調整した粘性媒体を含む、項目１６４に記載の子宮鏡検査受精サンプル。
【０１９６】
（項目１７３）  前記カテーテルで調整した粘性媒体が、前記哺乳動物の血液よりも高い粘性を有する人工受精サンプルを作製する媒体を含む、項目１７２に記載の子宮鏡検査受精サンプル。
【０１９７】
（項目１７４）  前記カテーテルで調整した粘性媒体が、生理食塩水よりも高い粘性を有する人工受精サンプルを作製する媒体をさらに含む、項目１７３に記載の子宮鏡検査受精サンプル。
【０１９８】
（項目１７５）  前記カテーテルで調整した粘性媒体が、哺乳動物のほぼ平均体温において、それぞれ、約１００ｃｐより高い粘性を有する媒体；約３００ｃｐより高い粘性を有する媒体；約１０００ｃｐより高い粘性を有する媒体；約３０００ｃｐより高い粘性を有する媒体；および約６０００ｃｐより高い粘性を有する媒体からなる群から選択される媒体をさらに含む、項目１７２に記載の子宮鏡検査受精サンプル。
【０１９９】
（項目１７６）  哺乳動物の産生方法であって、該方法は、以下：
ａ．ある哺乳動物種の雄から精子細胞を収集する工程；
ｂ．人工受精のために子宮鏡受精に適合可能な容積を決定する工程；
ｃ．該子宮鏡受精に適合可能な容積で人工受精サンプルを確立する工程；
ｄ．カテーテル中に該人工授精サンプルを配置する工程；
ｅ．該哺乳動物種の雌が適切に受精する時期を決定する工程；
ｆ．該哺乳動物種の雌中に光学要素を膣内挿入する工程；
ｇ．該哺乳動物種の雌中に該カテーテルを膣内挿入する工程；
ｈ．該哺乳動物種の雌の膣を通して、該光学要素および該カテーテルを導く工程；
ｉ．該哺乳動物種の雌内にて、子宮卵管接合部を光学的に位置確認する工程；
ｊ．該哺乳動物種の雌内の子宮卵管接合部の近傍に、該カテーテルを位置づける工程；
ｋ．該カテーテルから、該人口授精サンプルの少なくとも一部を押出す工程；
ｌ．該哺乳動物種の雌内の該子宮卵管接合部の近傍に、該人口授精サンプルの少なくとも一部を置く工程；
ｍ．該哺乳動物種の雌から、該光学要素および該カテーテルを引き出す工程；
ｎ．該哺乳動物種の雌の卵を受精させる工程；ならびに
ｏ．該受精卵から、子孫の哺乳動物を産生する工程；
を包含する、方法。
【０２００】
（項目１７７）  前記カテーテル中に人工授精サンプルを配置する工程が、該カテーテル中に少ない数の精子を配置する工程を包含する、項目１７６に記載の哺乳動物の産生方法。
【０２０１】
（項目１７８）  項目１７７に記載の哺乳動物の産生方法であって、前記カテーテル中に少ない数の精子を配置する工程が、約１０００万個未満の精子、約５００万個未満の精子、約２００万個未満の精子、約１００万個未満の精子、約５０万個未満の精子、および約１０万個未満の精子からなる群より選択される複数の精子を配置する工程を包含する、方法。
【０２０２】
（項目１７９）  項目１７８に記載の哺乳動物の産生方法であって、前記受精させる工程が、従来の子宮体人工授精プロセスに統計的に匹敵する成功レベルでの前記哺乳動物種の雌の卵を受精させる工程を包含し、該成功レベルは、以下：
該哺乳動物種の雌の卵を、少なくとも約０．０５以上の統計的なＰ値で、従来の子宮体の人工授精プロセスに統計的に匹敵する成功レベルで受精させる工程、
該哺乳動物種の雌の卵を、少なくとも約０．０５以上の統計的なＰ値で、５億のウマ精子サンプルを使用する従来の子宮体の人工授精プロセスに統計的に匹敵する成功レベルで受精させる工程、
該哺乳動物種の雌の卵を、少なくとも約８０％以上の統計的なβ値で、従来の子宮体の人工授精プロセスに統計的に匹敵する成功レベルで受精させる工程、
該哺乳動物種の雌の卵を、少なくとも約０．０５以上の統計的なＰ値、および少なくとも８０％以上の統計的なβ値の両方で、従来の子宮体の人工授精プロセスに統計的に匹敵する成功レベルで受精させる工程、
からなる群から決定される、方法。
【０２０３】
（項目１８０）  項目１７８に記載の哺乳動物の産生方法であって、前記受精させる工程が、前記哺乳動物種の雌の卵を従来の子宮体の人工授精プロセスに統計的に匹敵する成功レベルで受精させる工程を包含し、該成功レベルが、該種の従来の人工授精の少なくとも約７５％の成功率、少なくとも約６５％の成功率、少なくとも約６０％の成功率、少なくとも約５０％の成功率、少なくとも約４５％の成功率、および少なくとも約９０％の成功率からなる群から選択される、方法。
【０２０４】
（項目１８１）  前記哺乳動物種の雄から精子細胞を収集する工程が、ウシ、ウマ、またはブタからなる群より選択されるある哺乳動物種の雄から精子細胞を収集する工程を包含する、項目１８０に記載の哺乳動物の産生方法。
【０２０５】
（項目１８２）  前記確立する工程が、約３０μｌと１５０μｌとの間、約５００μｌ未満、約２３０μｌ、および約１００μｌからなる群より選択される容積で、授精試料を確立する工程を包含する、項目１８０に記載の哺乳動物の産生方法。
【０２０６】
（項目１８３）  子宮鏡検査用授精サンプルであって、以下：
ａ．レザバ要素；
ｂ．該レザバ要素が応答性である、カテーテルシステム；および
ｃ．該レザバ要素内に含まれる、子宮鏡検査に適合する量の精子、
を備える、授精サンプル。
【０２０７】
（項目１８４）  前記レザバ要素内に含まれる、前記子宮鏡検査に適合する量の精子が、自然な授精において代表的に見出される精子細胞の数と比較して、少数の精子細胞を含む、項目１８３に記載の授精封じ込め要素。
【０２０８】
（項目１８５）  前記自然な授精において代表的に見出される精子細胞の数と比較して、少数の精子細胞が、以下：
約１０００万個未満の精子、約５００万個未満の精子、約２００万個未満の精子、約１００万個未満の精子、約５０万個未満の精子、および約１０万個未満の精子、
からなる群より選択される多数の精子細胞を含む、項目１８４に記載の授精封じ込め要素。
【０２０９】
（項目１８６）  前記精子細胞が、ウシ、ウマ、またはブタから選択される、哺乳動物種の雄由来の精子細胞を含む、項目１８５に記載の授精封じ込め要素。
【０２１０】
（項目１８７）  前記レザバ要素内に含まれる、前記子宮鏡検査に適合する量の精子が、以下：
約３０μｌと１５０μｌとの間、約５００μｌ未満、約２３０μｌ未満、および約１００μｌ未満、
からなる群より選択される量を含む、項目１８３に記載の授精封じ込め要素。
【０２１１】
（項目１８８）  前記レザバ要素内に含まれる、前記子宮鏡検査に適合する量の精子が、哺乳動物種の雄由来の性選択された精子細胞を含む、項目１８３または１８７に記載の授精封じ込め要素。
【０２１２】
（項目１８９）  前記哺乳動物種の雄由来の性選択された精子細胞が、ウシ、ウマ、またはブタからなる群より選択される、哺乳動物種の雄由来の精子細胞を含む、項目１８８に記載の授精封じ込め要素。
【０２１３】
（項目１９０）  哺乳動物の産生する方法であって、該方法は、以下：
ａ．哺乳動物種の雄から精子細胞を収集する工程；
ｂ．授精標本中の該精子細胞の特性を一時的に実質的に保持する工程；
ｃ．該哺乳動物種の雄について発情の時期を決定する工程；
ｄ．該発情の時期の頃に人工授精サンプルを確立するように、該授精標本の属性を変更する工程；
ｅ．カテーテル内に該人工授精サンプルを配置する工程；
ｆ．該哺乳動物種の雌に光学要素を膣内挿入する工程；
ｇ．該哺乳動物種の雌に該カテーテルを膣内挿入する工程；
ｈ．該哺乳動物種の雌の膣を通じて該光学要素および該カテーテルを導く工程；
ｉ．該哺乳動物種の雌内の子宮卵管接合部を光学的に位置確認する工程；
ｊ．該哺乳動物種の雌内の該子宮卵管接合部の近傍に該カテーテルを位置づける工程；
ｋ．該カテーテルから、該人工授精サンプルの少なくとも一部を押し出す工程；
ｌ．該哺乳動物種の雌内の該子宮卵管接合部の近傍に、該人工授精サンプルの少なくとも一部を配置する工程；
ｍ．該哺乳動物種の雌から、該光学要素および該カテーテルを取り出す工程；
ｎ．該哺乳動物種のメスの卵を授精させる工程；および
ｏ．授精卵から子の哺乳動物を産生する工程、
を包含する、方法。
【０２１４】
（項目１９１）  前記カテーテル内に前記人工授精サンプルを配置する工程が、該カテーテル内に少数の精子を配置する工程を含む、項目１９０に記載の哺乳動物を産生する方法。
【０２１５】
（項目１９２）  前記カテーテル内に少数の精子を配置する工程が、以下：
約１０００万個未満の精子、約５００万個未満の精子、約２００万個未満の精子、約１００万個未満の精子、約５０万個未満の精子、および約１０万個未満の精子、
からなる群より選択される、多数の精子を配置する工程を包含する、項目１９１に記載の哺乳動物を産生する方法。
【０２１６】
（項目１９３）  前記授精させる工程が、成功したレベルを有する従来の子宮体人工授精プロセスに統計学的に匹敵する成功したレベルで、前記哺乳動物種の雌の卵を授精させる工程を包含し、該成功したレベルは、以下：
少なくとも約０．０５以上の統計学的Ｐ値を有する、従来の子宮体人工授精プロセスに統計学的に匹敵する成功したレベルで、該哺乳動物種の雌の卵を授精させる工程、
少なくとも約０．０５以上の統計学的Ｐ値を有する、５億個のウマ精子サンプルを用いる従来の子宮体人工授精プロセスに統計学的に匹敵する成功したレベルで、該哺乳動物種の雌の卵を授精させる工程、
少なくとも約８０％以上の統計学的β値を有する、従来の子宮体人工授精プロセスに統計学的に匹敵する成功したレベルで、該哺乳動物種の雌の卵を授精させる工程、
少なくとも約０．０５以上の統計学的Ｐ値、および少なくとも約８０％以上の統計学的β値の両方を有する、従来の子宮体人工授精プロセスに統計学的に匹敵する成功したレベルで、該哺乳動物種の雌の卵を授精させる工程、
からなる群より決定される、項目１９２に記載の哺乳動物を産生する方法。
【０２１７】
（項目１９４）  前記授精させる工程が、成功したレベルを有する従来の子宮体人工授精プロセスに統計学的に匹敵する成功したレベルで、前記哺乳動物種の雌の卵を授精させる工程を包含し、該成功したレベルは、以下：
この種についての従来の人口授精の、少なくとも約７５％の成功率、少なくとも約６５％の成功率、少なくとも約６０％の成功率、少なくとも約５０％の成功率、少なくとも約４５％の成功率、および少なくとも約９０％の成功率、
からなる群より選択される、項目１９２に記載の哺乳動物を産生する方法。
【０２１８】
（項目１９５）  前記授精させる工程が、成功したレベルを有する従来の子宮体人工授精プロセスに統計学的に匹敵する成功したレベルで、前記哺乳動物種の雌の卵を授精させる工程を包含し、該成功したレベルは、以下：
少なくとも約０．０５以上の統計学的Ｐ値を有する、従来の子宮体人工授精プロセスに統計学的に匹敵する成功したレベルで、該哺乳動物種の雌の卵を授精させる工程、
少なくとも約０．０５以上の統計学的Ｐ値を有する、５億個のウマ精子サンプルを用いる従来の子宮体人工授精プロセスに統計学的に匹敵する成功したレベルで、該哺乳動物種の雌の卵を授精させる工程、
少なくとも約８０％以上の統計学的β値を有する、従来の子宮体人工授精プロセスに統計学的に匹敵する成功したレベルで、該哺乳動物種の雌の卵を授精させる工程、
少なくとも約０．０５以上の統計学的Ｐ値、および少なくとも約８０％以上の統計学的β値の両方を有する、従来の子宮体人工授精プロセスに統計学的に匹敵する成功したレベルで、該哺乳動物種の雌の卵を授精させる工程、
からなる群より決定される、項目１９４に記載の哺乳動物を産生する方法。
【０２１９】
（項目１９６）  前記哺乳動物種の雄から精子細胞を収集する工程が、ウシ、ウマ、またはブタからなる群より選択される哺乳動物種の雄から精子細胞を収集する工程を包含する、項目１９４に記載の哺乳動物を産生する方法。
【０２２０】
（項目１９７）  前記発情の時期の頃に人工授精サンプルを確立するように前記授精標本の属性を変更する工程を、前記哺乳動物種の雌について決定した適切に授精する時期の頃に開始する工程、
を、さらに包含する、項目１９０，１９４または１９６に記載の哺乳動物を産生する方法。
【０２２１】
（項目１９８）  前記発情の時期の頃に人工授精サンプルを確立するように前記授精精標本の属性を変更する工程を、前記哺乳動物種の雌について決定した適切に授精する時期の頃に開始する工程が、以下：
該哺乳動物種の雌について決定した適切に授精する該時期の約２４時間以内、
該哺乳動物種の雌について決定した適切に授精する該時期の約２４時間以内、
該哺乳動物種の雌について決定した適切に授精する該時期の約１２時間以内、
該哺乳動物種の雌について決定した適切に授精する該時期の約８時間以内、
該哺乳動物種の雌について決定した適切に授精する該時期の約３時間以内、および
該哺乳動物種の雌について決定した適切に授精する該時期の約１時間以内、
からなる群より選択される時期内で、該授精標本の属性を変更する工程を開始する工程を包含する、項目１９７に記載の哺乳動物を産生する方法。
【０２２２】
（項目１９９）  前記授精標本中の前記精子細胞の特性を一時的に実質的に保持する工程が、該精子細胞を凍結する工程を包含し、そしてここで、前記発情の時期の頃に人工授精サンプルを確立するように、該授精標本の属性を変更する工程が、該発情期の頃に該授精標本を解凍する工程を包含する、項目１９０または１９４に記載の哺乳動物を産生する方法。
【０２２３】
（項目２００）  哺乳動物を産生する方法であって、以下：
ａ．哺乳動物種の雄から精子細胞を収集する工程；
ｂ．性特異的特徴に従って、該精子を選別する工程；
ｃ．選別された性特異的人工授精サンプルを確立する工程；
ｄ．カテーテル内に該選別された性特異的人工授精サンプルを配置する工程；
ｅ．該哺乳動物種の雌が、適切に授精する時期を決定する工程；
ｆ．該哺乳動物種の雌に光学的要素を膣内挿入する工程；
ｇ．該哺乳動物種の雌に該カテーテルを膣内挿入する工程；
ｈ．該哺乳動物種の雌の膣を通じて該光学要素および該カテーテルを導く工程；
ｉ．該哺乳動物種の雌内の子宮卵管接合部を光学的に位置確認する工程；
ｊ．該哺乳動物種の雌内の子宮卵管接合部の近傍に該カテーテルを位置づける工程；
ｋ．該カテーテルから、該選別された性特異的人工授精サンプルの少なくとも一部を押し出す工程；
ｌ．該哺乳動物種の雌の子宮卵管接合部の近傍に、該選別された性特異的人工授精サンプルの少なくとも一部を置く工程；
ｍ．該哺乳動物種の雌から、該光学要素および該カテーテルを取り出す工程；
ｎ．該哺乳動物種のメスの卵を授精させる工程；および
ｏ．授精卵から所望の性の子孫哺乳動物を産生する工程、
を包含する、方法。
【０２２４】
（項目２０１）  前記カテーテル内に前記人工授精サンプルを配置する工程が、該カテーテル内に少数の精子を配置する工程を包含する、項目２００に記載の哺乳動物を産生する方法。
【０２２５】
（項目２０２）  前記カテーテル内に少数の精子を配置する工程が、以下：
約１０００万個未満の精子、約５００万個未満の精子、約２００万個未満の精子、約１００万個未満の精子、約５０万個未満の精子、および約１０万個未満の精子、
からなる群より選択される、多数の精子を配置する工程を包含する、項目２０１に記載の哺乳動物を産生する方法。
【０２２６】
（項目２０３）  前記授精させる工程が、成功したレベルを有する従来の子宮体人工授精プロセスに統計学的に匹敵する成功したレベルで、前記哺乳動物種の雌の卵を授精させる工程を包含し、該成功したレベルは、以下：
少なくとも約０．０５以上の統計学的Ｐ値を有する、従来の子宮体人工授精プロセスに統計学的に匹敵する成功したレベルで、該哺乳動物種の雌の卵を授精させる工程、
少なくとも約０．０５以上の統計学的Ｐ値を有する、５億個のウマ精子サンプルを用いる従来の子宮体人工授精プロセスに統計学的に匹敵する成功したレベルで、該哺乳動物種の雌の卵を授精させる工程、
少なくとも約８０％以上の統計学的β値を有する、従来の子宮体人工授精プロセスに統計学的に匹敵する成功したレベルで、該哺乳動物種の雌の卵を授精させる工程、
少なくとも約０．０５以上の統計学的Ｐ値、および少なくとも約８０％以上の統計学的β値の両方を有する、従来の子宮体人工授精プロセスに統計学的に匹敵する成功したレベルで、該哺乳動物種の雌の卵を授精させる工程、
からなる群より決定される、項目２０２に記載の哺乳動物を産生する方法。
【０２２７】
（項目２０４）  前記授精させる工程が、成功したレベルを有する従来の子宮体人工授精プロセスに統計学的に匹敵する成功したレベルで、前記哺乳動物種の雌の卵を授精させる工程を包含し、該成功したレベルは、以下：
この種についての従来の人口授精の、少なくとも約７５％の成功率、少なくとも約６５％の成功率、少なくとも約６０％の成功率、少なくとも約５０％の成功率、少なくとも約４５％の成功率、および少なくとも約９０％の成功率、
からなる群より選択される、項目２０２に記載の哺乳動物を産生する方法。
【０２２８】
（項目２０５）  前記哺乳動物種の雄から精子細胞を収集する工程が、ウシ、ウマ、またはブタからなる群より選択される哺乳動物種の雄から精子細胞を収集する工程を包含する、項目２０４に記載の哺乳動物を産生する方法。
【０２２９】
（項目２０６）  前記精子細胞を凍結する工程をさらに包含する、項目２０４に記載の哺乳動物を産生する方法。
【０２３０】
（項目２０７）  前記哺乳動物種の雄から精子細胞を収集する工程が、ウシ、ウマ、またはブタからなる群より選択される哺乳動物種の雄から精子細胞を収集する工程を包含する、項目２０６に記載の哺乳動物を産生する方法。
【０２３１】
（項目２０８）  哺乳動物を産生する方法であって、以下の工程：
ａ．哺乳動物種の雄から精巣上体の精子細胞を収集する工程；
ｂ．人工授精サンプルを確立する工程；
ｃ．該人工授精サンプルをカテーテル中に置く工程；
ｄ．該哺乳動物種の雌について適切に受精する時期を決定する工程；
ｅ．光学要素を該哺乳動物種の雌に膣内挿入する工程；
ｆ．該カテーテルを該哺乳動物種の雌に膣内挿入する工程；
ｇ．該光学要素および該カテーテルを、該哺乳動物種の雌の該腟を介して導く工程；
ｈ．該哺乳動物種の雌の子宮卵管接合部を光学的に位置確認する工程；
ｉ．該哺乳動物種の雌の該子宮卵管接合部の近傍に該カテーテルを位置づける工程；
ｊ．該人工授精サンプルの少なくとも一部を該カテーテルから押し出す工程；
ｋ．該哺乳動物種の雌の該子宮卵管接合部の近傍に、該人工授精サンプルの少なくとも一部を沈着させる工程；
ｌ．該光学要素および該カテーテルを、該哺乳動物種の雌から引き出す工程；
ｍ．従来の子宮体人工授精プロセスに統計学的に匹敵する成功レベルで該哺乳動物種の雌の卵を受精させる工程；ならびに
ｎ．該受精した卵から子孫哺乳動物を産生する工程、
を包含する、方法。
【０２３２】
（項目２０９）  項目２０８に記載の哺乳動物を産生する方法であって、人工授精サンプルをカテーテル中に配置する前記工程が、該カテーテル中に少数の精子を配置する工程を包含する、方法。
【０２３３】
（項目２１０）  項目２０９に記載の哺乳動物を産生する方法であって、前記カテーテル中に少数の精子を配置する前記工程が、約１０，０００，０００個未満の精子、約５，０００，０００個未満の精子、約２，０００，０００個未満の精子、約１，０００，０００個未満の精子、約５００，０００個未満の精子、および約１００，０００個未満の精子からなる群より選択される多数の精子を配置する工程を包含する、方法。
【０２３４】
（項目２１１）  項目２１０に記載の哺乳動物を産生する方法であって、前記受精させる工程が、以下：
少なくとも約０．０５以上の統計的Ｐ値を有する従来の子宮体人工授精プロセスに統計学的に匹敵する成功レベルで、前記哺乳動物種の雌の卵を受精させる工程、
５００，０００，０００個のウマ精子サンプルを使用する、少なくとも約０．０５以上の統計的Ｐ値を有する従来の子宮体人工授精プロセスに統計学的に匹敵する成功レベルで、該哺乳動物種の雌の卵を受精させる工程、
少なくとも約８０％以上の統計的β値を有する従来の子宮体人工授精プロセスに統計学的に匹敵する成功レベルで、該哺乳動物種の雌の卵を受精させる工程、
少なくとも約０．０５以上の統計的Ｐ値および少なくとも約８０％以上の統計的β値の両方を有する従来の子宮体人工授精プロセスに統計学的に匹敵する成功レベルで、該哺乳動物種の雌の卵を受精させる工程、
からなる群より選択される成功レベルを有する、従来の子宮体人工授精プロセスに統計学的に匹敵する成功レベルで該哺乳動物種の雌の卵を受精させる工程を包含する、方法。
【０２３５】
（項目２１２）  項目２１０に記載の哺乳動物を産生する方法であって、前記受精させる工程が、前記哺乳動物種についての従来の人工授精の少なくとも約７５％の成功率、少なくとも約６５％の成功率、少なくとも約６０％の成功率、少なくとも約５０％の成功率、少なくとも約４５％の成功率、および少なくとも約９０％からなる群より選択される成功レベルを有する、従来の子宮体人工授精プロセスに統計学的に匹敵する成功レベルで該哺乳動物種の雌の卵を受精させる工程を包含する、方法。
【０２３６】
（項目２１３）  項目２１２に記載の哺乳動物を産生する方法であって、前記受精させる工程が、以下：
少なくとも約０．０５以上の統計的Ｐ値を有する従来の子宮体人工授精プロセスに統計学的に匹敵する成功レベルで、該哺乳動物種の雌の卵を受精させる工程、
５００，０００，０００個のウマ精子サンプルを使用する、少なくとも約０．０５以上の統計的Ｐ値を有する従来の子宮体人工授精プロセスに統計学的に匹敵する成功レベルで、該哺乳動物種の雌の卵を受精させる工程、
少なくとも約８０％以上の統計的β値を有する従来の子宮体人工授精プロセスに統計学的に匹敵する成功レベルで、該哺乳動物種の雌の卵を受精させる工程、
少なくとも約０．０５以上の統計的Ｐ値および少なくとも約８０％以上の統計的β値の両方を有する従来の子宮体人工授精プロセスに統計学的に匹敵する成功レベルで、該哺乳動物種の雌の卵を受精させる工程、
からなる群より選択される成功レベルを有する、従来の子宮体人工授精プロセスに統計学的に匹敵する成功レベルで該哺乳動物種の雌の卵を受精させる工程を包含する、方法。
【０２３７】
（項目２１４）  項目２１２に記載される哺乳動物を産生する方法であって、哺乳動物種の雄から精子細胞を収集する前記工程が、ウシ、ウマまたはブタからなる群より選択される哺乳動物種の雄から精子細胞を収集する工程を包含する、方法。
【０２３８】
（項目２１５）  子宮鏡授精サンプルであって、以下：
ａ．レザバ要素；
ｂ．該レザバ要素が応答性である、カテーテルシステム；および
ｃ．該レザバ要素内に含まれる、複数の精巣上体精子細胞、
を含む、サンプル。
【０２３９】
（項目２１６）  項目２１５に記載される授精封じ込め要素であって、前記レザバ要素内に含まれる前記複数の精巣上体精子細胞が、天然の授精において典型的に見られる精子細胞の数と比較して少数の精子細胞を含む、要素。
【０２４０】
（項目２１７）  項目２１６に記載される授精封じ込め要素であって、前記天然の授精において典型的に見られる精子細胞の数と比較して少数の精子細胞が、約１０，０００，０００個未満の精子、約５，０００，０００個未満の精子、約２，０００，０００個未満の精子、約１，０００，０００個未満の精子、約５００，０００個未満の精子、および約１００，０００個未満の精子からなる群より選択される多数の精子を配置する工程を包含する、要素。
【０２４１】
（項目２１８）  項目２１７に記載される授精封じ込め要素であって、前記精子細胞が、ウシ、ウマまたはブタからなる群より選択される哺乳動物種の雄由来の精子細胞を含む、要素。
【０２４２】
（項目２１９）  項目２１７に記載される授精封じ込め要素であって、前記レザバ要素内に含まれる前記複数の精巣上体精子細胞が、哺乳動物種の雄由来の性選択された精子細胞を含む、要素。
【０２４３】
（項目２２０）  項目２１９に記載される授精封じ込め要素であって、哺乳動物種の雄由来の性選択された前記精子細胞が、ウシ、ウマまたはブタからなる群より選択される哺乳動物種の雄由来の精子細胞を含む、要素。
【０２４４】
（項目２２１）  哺乳動物を産生する方法であって、以下の工程：
ａ．哺乳動物種の雄から精巣上体の精子細胞を収集する工程；
ｂ．人工授精サンプルを確立する工程；
ｃ．該人工授精サンプルをカテーテル中に置く工程；
ｄ．該哺乳動物種の雌について適切に受精する時期を決定する工程；
ｅ．光学要素を該哺乳動物種の雌に膣内挿入する工程；
ｆ．該カテーテルを該哺乳動物種の雌に膣内挿入する工程；
ｇ．該光学要素および該カテーテルを、該哺乳動物種の雌の該腟を介して導く工程；
ｈ．該哺乳動物種の雌の子宮卵管接合部を光学的に位置確認する工程；
ｉ．該哺乳動物種の雌の該子宮卵管接合部の近傍に該カテーテルを位置づける工程；
ｊ．該人工授精サンプルの少なくとも一部を該カテーテルから押し出す工程；
ｋ．該カテーテルから押し出し形成された該人工授精サンプルの少なくとも一部を吸引して、吸引された授精サンプルを作製する工程；
ｌ．該哺乳動物種の雌の該子宮卵管接合部の近傍に、該吸引された授精サンプルの少なくとも一部を沈着させる工程；
ｍ．該光学要素および該カテーテルを、該哺乳動物種の雌から引き出す工程；
ｎ．該哺乳動物種の雌の卵を受精させる工程；ならびに
ｏ．該受精した卵から子孫哺乳動物を産生する工程、
を包含する、方法。
【０２４５】
（項目２２２）  項目２２１に記載の哺乳動物を産生する方法であって、カテーテル中に前記人工授精サンプルを配置する前記工程が、該カテーテル中に少数の精子を配置する工程を包含する、方法。
【０２４６】
（項目２２３）  項目２２２に記載の哺乳動物を産生する方法であって、前記カテーテル中に少数の精子を配置する前記工程が、約１０，０００，０００個未満の精子、約５，０００，０００個未満の精子、約２，０００，０００個未満の精子、約１，０００，０００個未満の精子、約５００，０００個未満の精子、および約１００，０００個未満の精子からなる群より選択される多数の精子を配置する工程を包含する、方法。
【０２４７】
（項目２２４）  項目２２３に記載の哺乳動物を産生する方法であって、前記受精させる工程が、以下：
少なくとも約０．０５以上の統計的Ｐ値を有する従来の子宮体人工授精プロセスに統計学的に匹敵する成功レベルで、前記哺乳動物種の雌の卵を受精させる工程、
５００，０００，０００個のウマ精子サンプルを使用する、少なくとも約０．０５以上の統計的Ｐ値を有する従来の子宮体人工授精プロセスに統計学的に匹敵する成功レベルで、該哺乳動物種の雌の卵を受精させる工程、
少なくとも約８０％以上の統計的β値を有する従来の子宮体人工授精プロセスに統計学的に匹敵する成功レベルで、該哺乳動物種の雌の卵を受精させる工程、
少なくとも約０．０５以上の統計的Ｐ値および少なくとも約８０％以上の統計的β値の両方を有する従来の子宮体人工授精プロセスに統計学的に匹敵する成功レベルで、該哺乳動物種の雌の卵を受精させる工程、
からなる群より選択される成功レベルを有する、従来の子宮体人工授精プロセスに統計学的に匹敵する成功レベルで該哺乳動物種の雌の卵を受精させる工程を包含する、方法。
【０２４８】
（項目２２５）  項目２２３に記載の哺乳動物を産生する方法であって、前記受精させる工程が、前記哺乳動物種についての従来の人工授精の少なくとも約７５％の成功率、少なくとも約６５％の成功率、少なくとも約６０％の成功率、少なくとも約５０％の成功率、少なくとも約４５％の成功率、および少なくとも約９０％からなる群より選択される成功レベルを有する、従来の子宮体人工授精プロセスに統計学的に匹敵する成功レベルで該哺乳動物種の雌の卵を受精させる工程を包含する、方法。
【０２４９】
（項目２２６）  項目２２５に記載の哺乳動物を産生する方法であって、前記受精させる工程が、以下：
少なくとも約０．０５以上の統計的Ｐ値を有する従来の子宮体人工授精プロセスに統計学的に匹敵する成功レベルで、前記哺乳動物種の雌の卵を受精させる工程、
５００，０００，０００個のウマ精子サンプルを使用する、少なくとも約０．０５以上の統計的Ｐ値を有する従来の子宮体人工授精プロセスに統計学的に匹敵する成功レベルで、該哺乳動物種の雌の卵を受精させる工程、
少なくとも約８０％以上の統計的β値を有する従来の子宮体人工授精プロセスに統計学的に匹敵する成功レベルで、該哺乳動物種の雌の卵を受精させる工程、
少なくとも約０．０５以上の統計的Ｐ値および少なくとも約８０％以上の統計的β値の両方を有する従来の子宮体人工授精プロセスに統計学的に匹敵する成功レベルで、該哺乳動物種の雌の卵を受精させる工程、
からなる群より選択される成功レベルを有する、従来の子宮体人工授精プロセスに統計学的に匹敵する成功レベルで該哺乳動物種の雌の卵を受精させる工程を包含する、方法。
【０２５０】
（項目２２７）  項目２２５に記載される哺乳動物を産生する方法であって、哺乳動物種の雄から精子細胞を収集する前記工程が、ウシ、ウマまたはブタからなる群より選択される哺乳動物種の雄から精子細胞を収集する工程を包含する、方法。
【０２５１】
（項目２２８）  子宮鏡授精要素であって、以下：
ａ．哺乳動物種の雌の子宮；
ｂ．該子宮内に含まれる複数の精子細胞；および
ｃ．該精子細胞を取り囲みかつ該精子細胞が応答性である、吸引された量の媒体、
を含む、要素。
【０２５２】
（項目２２９）  項目２２８に記載される授精封じ込め要素であって、前記子宮内に含まれる前記複数の精子細胞が、天然の授精において典型的に見られる精子細胞の数と比較して少数の精子細胞を含む、要素。
【０２５３】
（項目２３０）  項目２２９に記載される授精封じ込め要素であって、前記天然の授精において典型的に見られる精子細胞の数と比較して少数の精子細胞が、約１０，０００，０００個未満の精子、約５，０００，０００個未満の精子、約２，０００，０００個未満の精子、約１，０００，０００個未満の精子、約５００，０００個未満の精子、および約１００，０００個未満の精子からなる群より選択される多数の精子を含む、要素。
【０２５４】
（項目２３１）  前記精子細胞が、ウシ、ウマまたはブタからなる群より選択される哺乳動物種の雄由来の精子細胞を含む、項目２３０に記載の授精封じ込め要素。
【０２５５】
（項目２３２）  前記子宮内に含まれる前記複数の精子細胞が、哺乳動物種の雄由来の性選択された精子細胞を含む、項目２３０に記載の授精封じ込め要素。
【０２５６】
（項目２３３）  哺乳動物種の雄由来の前記性選択された精子細胞が、ウシ、ウマまたはブタからなる群より選択される哺乳動物種の雄由来の精子細胞を含む、項目２３２に記載の授精封じ込め要素。
【０２５７】
（項目２３４）  哺乳動物を産生する方法であって、該方法は、以下の工程：
ａ．ブタの雄から精子細胞を収集する工程；
ｂ．該ブタについての天然の授精投与量と比較して、少数の精子を有する人工授精サンプルを確立する工程；
ｃ．カテーテル中に該人工授精サンプルを配置する工程；
ｄ．雌ブタが適切に妊娠する時期を決定する工程；
ｅ．光学要素を、該雌ブタに膣内挿入する工程；
ｆ．該カテーテルを、該雌ブタに膣内挿入する工程；
ｇ．該雌ブタの該膣を通して、該光学要素および該カテーテルを導く工程；
ｈ．該雌ブタ内の子宮卵管接合部を光学的に位置確認する工程；
ｉ．該雌ブタ内の該子宮卵管接合部の近傍に、該カテーテルを位置づける工程；
ｊ．該人工授精サンプルの少なくとも一部を、該カテーテルから押し出す工程；
ｋ．該雌ブタ内の該子宮卵管接合部の近傍に、少数の精子細胞を置く工程；
ｌ．該雌ブタから、該光学要素および該カテーテルを引き出す工程；
ｍ．該雌ブタの卵を受精させる工程；ならびに
ｎ．該受精した卵から、子孫のブタを産生する工程、
を包含する、方法。
【０２５８】
（項目２３５）  項目２３４に記載の哺乳動物を産生する方法であって、前記哺乳動物種の雌の卵を受精させる前記工程が、従来の子宮体人工授精に統計的に匹敵する成功レベルで、該哺乳動物種の雌の卵を受精させる工程を包含する、方法。
【０２５９】
（項目２３６）  項目２３５に記載の哺乳動物を産生する方法であって、該方法は、性特徴によって前記精子細胞を分類する工程をさらに包含し、ここで、該哺乳動物について天然の授精投与量と比較して少数の精子細胞を有する人工授精サンプルを確立する前記工程は、該哺乳動物について天然の授精投与量と比較して少数の精子細胞を有する性選択された人工授精サンプルを確立する工程を包含する、方法。
【０２６０】
（項目２３７）  前記精子細胞を凍結する工程をさらに包含する、項目２３６に記載の哺乳動物を産生する方法。
【０２６１】
（項目２３８）  前記精子細胞を凍結する工程をさらに包含する、項目２３５に記載の哺乳動物を産生する方法。
【０２６２】
（項目２３９）  哺乳動物を産生する方法であって、該方法は、以下の工程：
ａ．哺乳動物種の雄から精子細胞を収集する工程；
ｂ．該精子細胞の少なくともいくつかを凍結して、凍結授精サンプルを作製する工程；
ｃ．該凍結授精サンプルの少なくともいくつかを解凍して、人工授精サンプルを作製する工程；
ｄ．該人工授精サンプルを、カテーテル中に置く工程；
ｅ．該哺乳動物種の雌が、適切に妊娠する時期を決定する工程；
ｆ．該哺乳動物種の雌に、光学要素を膣内挿入する工程；
ｇ．該哺乳動物種の雌に、該カテーテルを膣内挿入する工程；
ｈ．該哺乳動物種の雌の該膣を介して該光学要素および該カテーテルを導く工程；
ｉ．該哺乳動物種の雌の子宮卵管接合部を光学的に位置確認する工程；
ｊ．該哺乳動物種の雌の該子宮卵管接合部の近傍に、該カテーテルを位置づける工程；
ｋ．該カテーテルから該人工授精サンプルの少なくとも一部を引き出す工程；
ｌ．該哺乳動物種の雌の該子宮卵管接合部の近傍に、該人工授精サンプルの少なくとも一部を沈着させる工程；
ｍ．該哺乳動物種の雌から該光学要素および該カテーテルを引き出す工程；
ｎ．該哺乳動物種の雌の卵を受精させる工程；および
ｏ．該受精させた卵から子孫哺乳動物を産生する工程、
を包含する、方法。
【０２６３】
（項目２４０）  項目２３９に記載の哺乳動物を産生する方法であって、前記哺乳動物種の雌の卵を受精させる前記工程が、従来の子宮体人工授精プロセスに統計的に匹敵する成功レベルで、該哺乳動物種の雌の卵を受精させる工程を包含する、方法。
【０２６４】
（項目２４１）  項目２３９または２４０に記載の哺乳動物を産生する方法であって、カテーテル中に前記人工授精サンプルを配置する前記工程が、該カテーテル中に少数の精子を配置する工程を包含する、方法。
【０２６５】
（項目２４２）  項目２４１に記載の哺乳動物を産生する方法であって、前記カテーテル中に少数の精子を配置する前記工程が、約１０，０００，０００未満の精子、約５，０００，０００未満の精子、約２，０００，０００未満の精子、約１，０００，０００未満の精子、約５００，０００未満の精子、および約１００，０００未満の精子からなる群より選択される数の精子を配置する工程を包含する、方法。
【０２６６】
（項目２４３）  項目２４２に記載の哺乳動物を産生する方法であって、前記授精させる工程が、以下：
少なくとも約０．０５以上の統計的Ｐ値を有する従来の子宮体人工授精プロセスに統計学的に匹敵する成功レベルで、前記哺乳動物種の雌の卵を授精させる工程、
５００，０００，０００のウマ精子サンプルを使用する、少なくとも約０．０５以上の統計的Ｐ値を有する従来の子宮体人工授精プロセスに統計学的に匹敵する成功レベルで、該哺乳動物種の雌の卵を授精させる工程、
少なくとも約８０％以上の統計的β値を有する従来の子宮体人工授精プロセスに統計学的に匹敵する成功レベルで、該哺乳動物種の雌の卵を授精させる工程、
少なくとも約０．０５以上の統計的Ｐ値および少なくとも約８０％以上の統計的β値の両方を有する従来の子宮体人工授精プロセスに統計学的に匹敵する成功レベルで、該哺乳動物種の雌の卵を授精させる工程、
からなる群より決定される成功レベルで従来の子宮体人工授精プロセスに統計学的に匹敵する成功レベルで該哺乳動物種の雌の卵を授精させる工程を包含する、方法。
【０２６７】
（項目２４４）  項目２４２に記載の哺乳動物を産生する方法であって、前記授精させる工程が、前記哺乳動物種についての従来の人工授精の少なくとも約７５％の成功率、少なくとも約６５％の成功率、少なくとも約６０％の成功率、少なくとも約５０％の成功率、少なくとも約４５％の成功率、および少なくとも約９０％からなる群より選択される成功レベルで従来の子宮体人工授精プロセスに統計学的に匹敵する成功レベルで該哺乳動物種の雌の卵を授精させる工程を包含する、方法。
【０２６８】
（項目２４５）  項目２４４に記載の哺乳動物を産生する方法であって、前記授精させる工程が、以下：
少なくとも約０．０５以上の統計的Ｐ値を有する従来の子宮体人工授精プロセスに統計学的に匹敵する成功レベルで、前記哺乳動物種の雌の卵を授精させる工程、
５００，０００，０００のウマ精子サンプルを使用する、少なくとも約０．０５以上の統計的Ｐ値を有する従来の子宮体人工授精プロセスに統計学的に匹敵する成功レベルで、該哺乳動物種の雌の卵を授精させる工程、
少なくとも約８０％以上の統計的β値を有する従来の子宮体人工授精プロセスに統計学的に匹敵する成功レベルで、該哺乳動物種の雌の卵を授精させる工程、
少なくとも約０．０５以上の統計的Ｐ値および少なくとも約８０％以上の統計的β値の両方を有する従来の子宮体人工授精プロセスに統計学的に匹敵する成功レベルで、該哺乳動物種の雌の卵を授精させる工程、
からなる群より決定される成功レベルで従来の子宮体人工授精プロセスに統計学的に匹敵する成功レベルで該哺乳動物種の雌の卵を授精させる工程を包含する、方法。
【０２６９】
（項目２４６）  項目２４４に記載される哺乳動物を産生する方法であって、哺乳動物種の雄から精子細胞を収集する前記工程が、ウシ、ウマまたはブタからなる群より選択される哺乳動物種の雄から精子細胞を収集する工程を包含する、方法。
【０２７０】
（項目２４７）  項目２４４に記載の哺乳動物を産生する方法であって、該方法は、性特徴によって前記精子細胞を分類する工程をさらに包含する、該哺乳動物についての天然の授精投与量と比較して少数の精子を有する人工授精サンプルを確立する工程が、該哺乳動物についての天然の授精投与量と比較して小数の精子を有する性選択された人工授精サンプルを確立する工程を包含する、方法。
【０２７１】
（項目２４８）  項目２４７に記載の哺乳動物を産生する方法であって、哺乳動物種の雄から精子細胞を収集する前記工程が、ウシ、ウマまたはブタからなる群より選択される哺乳動物種の雄から精子細胞を収集する工程を包含する、方法。
【０２７２】
（項目２４９）  項目１〜２４８に記載のプロセスを利用して産生される動物。
【０２７３】
（本発明を実施するための形態）
本発明の基本的な概念は、多くの異なる様式で実施され得る。本発明の概念は、人工授精を介する哺乳動物の産生のための、材料、要素、装置、デバイスおよび方法を含み得る。さらに、本発明の１つの好ましい実施形態は、人工授精を介するウマの産生に特に関し得るが、本発明の広範な概念は、一般に、そして示されるように、ウシおよびブタのような他の哺乳動物種のための、哺乳動物の産生の開示と解釈されるべきである。
【０２７４】
理解されるように、本発明は、適用の必要性に依存して種々の組合せで使用され得る、種々の局面を含む。本発明は、哺乳動物の産生の種々の実施形態およびそれらの組み合わせを包含することが意図される。本発明は、説明される種々の局面を達成するための、方法とデバイスとの両方を包含する。さらに、いくつかの方法およびデバイスが開示されるが、これらは変化し得ることが理解されるべきである。重要なことには、上述の全てのことに関して、全ての局面が、現在または後に発行される特許請求の範囲に記載されるように独立してと組み合わせとの両方で、本特許によって包含されることが理解されるべきである。
【０２７５】
従って、本発明の１つの実施形態は、目的の種の雄性からの精子細胞の収集を提供し得る。１つの実施形態によれば、精子細胞は、ウマ種の１頭以上の種馬から収集される。この実施形態に従って、精子が収集され得、そして好ましい実施形態において、精子は、市販の人工膣を用いて、既知の認容可能な繁殖可能性の、恐らく少なくとも１頭の種馬から収集され得る。Ａｎｉｍａｌ  Ｒｅｐｒｏｄｕｃｔｉｏｎ  Ｓｙｓｔｅｍｓによって利用可能にされるもののような人工膣は、インラインゲルフィルタと共に使用され得、そして好ましい実施形態において、収集の間にわたって１日おきに使用される。収集後、精子は、ゲルのない容量、運動性、および精子濃度を評価され得る。別の好ましい実施形態によれば、精子細胞は、哺乳動物の他の雄性種（特に、ウシ、ウマまたはブタの種）から収集され得る。本発明の代替の実施形態は、哺乳動物の雄性種の精巣の精巣上体から得られる、精巣上体の精子細胞の収集を提供し得る。精巣上体精子の使用を提供する代替の実施形態は、本明細書中に開示される他の実施形態の全てに、単一または組み合わせのいずれかで、組み込まれ得る。さらに、本発明は、レザバ要素、このレザバ要素が応答するカテーテルシステム、およびこのレザバ要素内に含まれる複数の精巣上体精子細胞を備える、子宮鏡授精サンプルの特定の実施形態を提供する。
【０２７６】
精子収集後、人工授精サンプルは、雌性種の授精のために確立され得る。本発明の１つの実施形態によれば、このサンプルは、哺乳動物に対する天然の授精用量と比較して低い数の精子を有するように、調製され得る。このサンプルは、特定の交配技術のための低い数の精子を有し得、そして好ましい実施形態によれば、このサンプルは、特に雌雄選択するために精子を選別する結果として、低い数の精子を有し得る。本発明の好ましい実施形態によれば、精子は、ヘキスト３３３４２で染色され得、そして市販のＳＸ  ＭｏＦｌｏ（登録商標）精子ソーターを使用して、ＤＮＡ含有量に基づいて、Ｘ染色体保有集団およびＹ染色体保有集団に選別され得る。
【０２７７】
さらに、人工授精サンプルは、複数の容量で、好ましい実施形態によって、約３０μｌと１５０μｌとの間、約５００μｌ未満、約２３０μｌ、および約１００μｌの容量で、確立され得る。本発明の１つの実施形態は、子宮鏡授精に適合性の容量、好ましくは、約３０μｌと１５０μｌとの間、約５００μｌ未満、約２３０μｌ、および約１００μｌからなる群より選択される容量の授精サンプルを確立することに関する。さらに、本発明は、レザバ要素、このレザバ要素が応答するカテーテルシステム、およびこのレザバ要素内に含まれる、子宮鏡適合性の容量の精子を備える、子宮鏡授精サンプルに関する。このレザバ要素内に含まれる精子の、子宮鏡適合性の容量は、約３０μｌと１５０μｌとの間、約５００μｌ未満、約２３０μｌ、および約１００μｌからなる群より選択される容量を含み得る。
【０２７８】
次に、本発明の好ましい実施形態によれば、人工授精サンプルは、カテーテルまたはカテーテルシステム内に配置され得る。代替の実施形態によれば、このサンプルは、このカテーテルまたはカテーテルシステムに応答する、レザバ要素または他のサンプル保持要素内に配置され得る。カテーテルまたはカテーテルシステムは、挿入の任意のデバイス、システムまたは方法を、管、脈管、通路、または体腔内に規定して、流体の注入または引出しを可能すると理解されるべきであり、そして好ましい実施形態において、このような注入または引き出しは、レザバ要素またはサンプル保持要素の応答を提供し得るか、あるいは通路を開いて維持する。
【０２７９】
好ましくは、カテーテルまたはカテーテルシステムは、ガイド要素と組み合わせて使用され、そして好ましい実施形態において、光学要素またはデバイスと組み合わせて使用され、そして好ましい実施形態において、照射要素と組み合わせて使用されて、以下により具体的に記載されるように、人工授精手順においてガイダンスを提供し得る。好ましい実施形態は、照射要素のストロービングを提供し得る。しかし、手動のガイダンスもまた実施され得る。本発明の好ましい実施形態によれば、図１に示されるように、授精サンプルは、ウマＧＩＦＴカテーテル（２）（Ｃｏｏｋ  Ｖｅｔｅｒｉｎａｒｙ  Ｐｒｏｄｕｃｔｓ，Ｂｒｉｓｂａｎｅ，Ａｕｓｔｒａｌｉａ）に、好ましくは、このカテーテルの遠位端（８）の注入ポート（６）に取り付けられた６ｍＬの使い捨てシリンジ（４）を使用して、吸引され得る。装填されたカテーテルは、チューブ内、または好ましくは、外側のポリプロピレンカニューレ（１０）（これは、光学要素（１２）に応答し得る）内に引き出され得、そして好ましい実施形態によれば、Ｐｅｎｔａｘ  ＥＰＭ３０００ビデオ内視鏡（Ｐｅｎｔａｘ  ＵＫ  Ｌｔｄ，Ｓｌｏｕｇｈ，Ｂｕｃｋｓ  ＵＫ）の作業チャネルに沿って通される。
【０２８０】
従って、人工授精が適切であり得る時期、時点または持続時間が、決定され得る。本発明の好ましい実施形態によれば、決定は、雌性哺乳動物に対する発情時点に関してなされ得る。本発明の１つの実施形態によれば、発情期は、発情時点を決定するために誘導され得、そして複数の雌性ウマに対して、同期さえされ得る。発情期は、雌性哺乳動物が妊娠し得る状態と定義され得、そして発情周期は、雌性哺乳動物の内分泌系および生殖系の、相関する現象と定義され得、潜在的に、発情期の１つの期間の開始から、次の期間の開始までである。好ましい実施形態によれば、発情期は、プロゲスタゲン（ｐｒｏｇｅｓｔａｇｅｎ）のような物質を、好ましくは雌性ウマアルトレノゲストを、そして好ましくは１０ｍｌを経口で、潜在的には連続した１０日間投与し、続いて２５０μｇのクロプロステノールを筋肉内に、潜在的には１１日目に投与することによって、複数の雌性哺乳動物に対して誘導され得、そして同期され得る。さらに、雌性哺乳動物は、授精の時点で、排卵を誘導され得る。排卵は誘導され得、そして好ましい実施形態において、３０００ｉｕのヒト絨毛性ゴナドトロピン（ｈＣＧ、Ｃｈｏｒｕｌｏｎ，Ｉｎｔｅｒｖｅｔ，Ｉｎｃ．，Ｍｉｌｌｓｂｏｒｏ，Ｈｏｌｌａｎｄ）を投与することによって（好ましくは、授精の時点または約８時間前までで静脈内に投与されて）、誘導され得る。排卵は、好ましい実施形態において、約２０００〜約５０００ｉｕのヒト絨毛性ゴナドトロピンの投与によってさえ、誘導され得る。
【０２８１】
好ましい実施形態において、発情周期は、合成プロゲスタゲンアルトレノゲスト（０．０４４ｍｇ／ｋｇ経口、Ｒｅｇｕｍａｔｅ；Ｈｏｅｃｈｓｔ  Ｒｏｕｓｓｅｌ  Ｖｅｔ，Ｗａｒｒｅｎ，Ｎｅｗ  Ｊｅｒｓｅｙ，ＵＳＡ）を、連続した１０日間にわたって毎日投与することによって、同期され得る。黄体融解が、好ましい実施形態において、プロスタグランジンアナログのクロプロステノール（２５０μｇ  Ｅｓｔｒｕｍａｔｅ，筋肉内；Ｂａｙｅｒ  Ｃｏｒｐｏｒａｔｉｏｎ，Ａｇｒｉｃｕｌｔｕｒｅ  Ｄｉｖｉｓｉｏｎ，Ｓｈａｗｎｅｅ  Ｍｉｓｓｉｏｎ、Ｋａｎｓａｓ，ＵＳＡ）を１１日目に投与して、誘導され得る。
【０２８２】
雌性哺乳動物が適切に受精する時点が、決定され得る。卵巣が試験され得、そして好ましい実施形態において、超音波検査によって試験され、そして好ましくは、小胞が検出されるまで試験され得、そして好ましい実施形態によれば、優勢な小胞（好ましくは、直径３０ｍｍ以上）が検出されるまで、２日おきに試験され得る。この雌性は、好ましくは排卵前に、好ましくは３５ｍｍ以上の小胞が検出されるまで、試験され得る。１つの実施形態において、この雌性は、発情期の誘導または同期と同じ日の間、排卵の誘導または同期と同じ日の間、あるいは発情期および授精の誘導または同期と同じ日の間、授精され得る。
【０２８３】
次に、本発明の特定の実施形態によれば、ガイド要素、および好ましい実施形態においては光学要素（１２）が、雌性へと膣内挿入され得る。さらに、カテーテル（２）、および好ましい実施形態においてはレザバ要素が、雌性に挿入され得る。光学要素（１２）およびカテーテル（２）の挿入の順序は、連続的であっても同時であってもよい。
【０２８４】
次いで、ガイド要素または光学要素（１２）およびカテーテル（２）は、図２に示されるように、雌性の膣（２０）を通して導かれ得る。１つの実施形態によれば、光学要素（１２）およびカテーテル（２）は、手動で導かれ得る。実際に、カテーテル（２）は、光学要素（１２）なしで手動で導かれ得る。しかし、ＵＴＪを見出す正確さ、ならびに低い数の精子および手順の全体的な潜在的効力に対して特に、増加した受胎率を生じる可能性は、より正確なガイダンス手順を必要とし得る。好ましい実施形態において、光学要素または内視鏡（好ましくは、可撓性内視鏡）（好ましい実施形態においては、外径１２ｍｍで１．６ｍの長さの寸法を有する）が、頸部（２２）を通して導かれ得、そして子宮腔（２４）を通して、またはさらなる実施形態において、その種の雌性の子宮角を通して、推進される。ビデオ内視鏡の使用のさらなる利点は、当業者による過去の努力において必要とされ得るように、授精プロセスを直腸で導く必要がないことであり得る。
【０２８５】
次いで、雌性哺乳動物の子宮卵管接合部（ＵＪＴ）（３０）が、好ましくは光学要素（１２）を用いて光学的に、位置確認され得る。次いで、カテーテル（２）が、子宮卵管接合部の近傍または近くに位置決めされ得る。好ましい実施形態によれば、内視鏡は、視覚による制御下で、子宮角（２６）に沿って同側に、排卵前の小胞（２８）を含む卵巣へと位置づけられ得る。好ましくは、内視鏡のチップは、上記子宮卵管接合部の近位に位置づけられ、そして好ましい実施形態において、上記子宮卵管接合部の約３〜５ｃｍ以内に位置づけられ、そして好ましい実施形態において、子宮卵管接合部の乳頭（３２）の約３〜５ｃｍ以内に位置づけられ得る。
【０２８６】
次いで、人工授精サンプルの少なくとも一部が、カテーテル（２）から押出され得る。好ましい実施形態によれば、外側カニューレ（１０）（次に精子懸濁物を含む内側ＧＩＦＴカテーテル（２）がある）が、ＧＩＦＴカテーテルのチップが子宮卵管接合部に接するまで、そして好ましい実施形態において、乳頭に接するまで、内視鏡の作業チャネルから押出され得る。本発明の代替の実施形態によれば、人工授精サンプルの一部または少なくとも一部は、カテーテルからの押し出しの間に吸引され得、これによって、吸引されたサンプルを潜在的に作製する。このような吸引されたサンプルは、バブル状サンプルおよび泡状サンプルを含むことが、理解されるべきである。吸引されたサンプルは、ＵＴＪの付近の表面へのより良好な接着を提供し得るのみでなく、改善された受胎率をさらに可能にし得る。さらに、本発明の実施形態は、子宮鏡授精要素を提供し、この要素は、哺乳動物の種の雌性の子宮、この子宮内に含まれる複数の精子細胞、および精子細胞を囲むかまたは散在させ、そして精子細胞が応答する、吸引された容量の媒体を含む。このような代替の実施形態は、単一でまたは組み合わせてのいずれかで、本発明の全ての実施形態に関して開示されると解釈されるべきであり、そしてそれ自体が開示されると解釈されるべきである。
【０２８７】
低い数の精子が、子宮卵管接合部の近傍に置かれ得る。好ましい実施形態によれば、シリンジ（４）のプランジャーが、サンプルを置くために押下され得、そして特定の実施形態において、小容量（好ましくは、恐らく約１００μｌ）のサンプルを、好ましくは乳頭の表面に置く。ガイド要素、および好ましい実施形態においては光学要素（１２）、ならびにカテーテル（２）は、雌性哺乳動物の子宮から引き出され得る。好ましい実施形態によれば、濾過された空気が、雌性の子宮に導入されて、子宮腔を通る器具の通過を容易にし得る。さらに、好ましい実施形態によれば、濾過された空気は、好ましくは、光学要素（１２）およびカテーテル（２）の引き抜きと同時に、子宮から抜かれ得る。
【０２８８】
低い数の精子を配置することは、本発明の１つの好ましい実施形態において、カテーテル（２）を用いて多数の精子（好ましくは、約１０００万の精子未満、約５００万の精子未満、約２００万の精子未満、約１００万の精子未満、約５０万の精子未満、および約１０万の精子未満からなる群より選択される数）を配置することによって、達成され得る。
【０２８９】
続いて、雌性の卵の受精が起こり得、そして受精した卵からの子孫哺乳動物の産生が起こり得る。本発明の好ましい実施形態によれば、受精の成功レベルは、従来の子宮本体人工授精プロセスに統計学的に比較可能であり得る。統計学的に比較可能な成功レベルは、任意の特定の種に対して従来のＡＩを用いて実際に経験された成功率の、少なくとも約７５％の成功率、少なくとも約６５％の成功率、少なくとも約６０％の成功率、少なくとも約５０％の成功率、少なくとも約４５％の成功率、および少なくとも約９０％の成功率での受胎率と定義され得る。さらに、本発明の成功レベルは、約１００より多い、約５００より多い、そして約１０００より多い、累積受精のサンプルにわたって、従来の子宮本体人工授精プロセスに統計学的に比較可能であり得る。成功率はさらに、少なくとも約９５％の信頼度（潜在的に、Ｐは、約０．０５より大きいかまたは等しいと表される）の信頼レベルを統計学的に少なくとも提供し得、従って、従来のＡＩと、潜在的に統計学的に比較可能である。さらに、本発明の成功率は、異なる精子数の範囲（潜在的に、例えば、ウマについては１×１０６精子、５×１０６精子、または１０×１０６精子）にわたって同じＰ値を潜在的に有し得る。さらに、成功のレベルまたは率は、サンプルのサイズに換算して表現され得、これによって、本発明は、好ましい実施形態において、少なくとも約８０％の累乗計算（β）にわたって、上述の成功率のいずれかを提供し得る。さらに、成功率は、好ましい実施形態において、雌雄選別された種馬精子についての特定の授精用量を考慮して、低い数の精子に対してさえ適用され得、そして慣用的に、ある種に対して従来の人工授精から生じた率の少なくとも約９０％の受胎率を生じ得る。さらに、本発明の特定の実施形態によれば、以前の成功率は、ウシ、ウマ、およびブタのような哺乳動物の種に対してさえ達成され得る。
【０２９０】
精子の生存可能性、寿命および運動性に関して、例えば、本発明は、新鮮な精子を利用する人工授精サンプルの確立を提供し得る。用語「新鮮な精子」とは、精子の生存可能性、寿命および／または運動性が損なわれ得るようないずれの様式でも、処理も、加工も、または保存もされていない精子であると、広義に定義され得る。このような処理、加工または保存としては、例えば、精子の選別、精子の凍結および引き続く解凍、精子の希釈および再懸濁、ならびに運動性および生存可能性の試験または分離（一般に、特に、Ｐｅｒｃｏｌｌ勾配加工）が挙げられ得る。本明細書中の本発明の実施形態による新鮮な精子の使用は、例えば、使用される収集された精子の質が乏しい場合にさえ、授精のための低い数の精子の使用を可能にし得る。
【０２９１】
本発明の代替の実施形態は、授精精子の処理、加工および保存を、広範に提供し得る。本発明の代替の実施形態は、例えば、授精をより達成しやすい収集された精子細胞の選択を提供し得る。本発明の１つの実施形態によれば、所望の精子細胞または授精をより達成しやすい精子細胞の選択は、収集された、より運動性の精子を濃縮する工程を包含し得る。さらなる実施形態は、密度勾配にわたって、そして好ましい実施形態においては、Ｐｅｒｃｏｌｌ勾配で、精子を遠心分離する工程を提供し得る。潜在的に好ましい実施形態は、９０：４５％のＰｅｒｃｏｌｌ勾配を使用し得る。さらなる実施形態は、濃度を、出発濃度の約２倍未満に制限することを包含し得る。Ｐｅｒｃｏｌｌ勾配の実施は、精子の加工前または加工後の、そして特に、潜在的に選別前または選別後の、Ｐｅｒｃｏｌｌの使用を包含することが理解されるべきである。従って、本明細書中の実施形態によれば、Ｐｅｒｃｏｌｌ勾配手順は、「新鮮な精子」と共に使用され得る。所望の精子細胞または選択された精子細胞から確立されるサンプルは、人工授精サンプルを確立するために使用され得、これは潜在的に、サンプルの生存可能性が潜在的により高い率であることに少なくとも部分的に起因して、受胎率を増加させる。本発明によるＰｅｒｃｏｌｌ勾配手順は、上により具体的に記載されるように、沈着カテーテル内に配置された、より低い数の精子の使用と組み合わせて実施され得る。
【０２９２】
さらに、人工授精サンプルの確立は、子宮鏡に適合性の媒体を有するサンプルを確立することによって提供され得、それによって、受精率の潜在的増加および効果的な授精手順を提供する。より詳細には、本発明の実施形態は、人工授精サンプル（好ましい実施形態において、自然の授精用量と比較して少数の精子を有する）を確立すること、そして潜在的にさらなる処理の前に、好ましくは希釈媒体として、人工授精サンプル適合性媒体（例えば、エキステンダー、および好ましい実施形態において、スキムミルク媒体（例えば、ＥＺ−Ｍｉｘｉｎ  ＣＳＴ（登録商標）（Ａｎｉｍａｌ  Ｒｅｐｒｏｄｕｃｔｉｏｎ  Ｓｙｓｔｅｍｓ，Ｃｈｉｎｏ，ＣＡ））の確立を提供すること、を提供する。本発明の好ましい実施形態に従って、希釈は、多くとも２：１の比、多くとも５：１の比、そして多くとも１０：１の比までで行い、適切な濃度を有する、少なくとも子宮鏡に適合性の容量および媒体を潜在的に達成し得る。さらに、本発明の実施形態は、上述のように、子宮鏡に適合性の媒体を利用してサンプルを確立するために、エキステンダーの使用（潜在的には、精子の処理後に、潜在的には第１のエキステンダーと組み合わせて提供される、第２のエキステンダー）を提供し得る。第２のエキステンダーは、処理後の精子サンプルを再懸濁するために使用され得、そしてより詳細には、子宮鏡に適合性の媒体を使用してサンプルを提供し得る。好ましい実施形態に従って、媒体または第２のエキステンダーは、ＴＡＬＰ媒体、ＨＥＰＥＳ緩衝化タイロード媒体、Ａｎｄｒｏｈｅｐ媒体を含み得る。本発明の好ましい実施形態に従って、希釈は、スキムミルク媒体（例えば、ＥＺ−Ｍｉｘｉｎ  ＣＳＴ（登録商標））、ＴＡＬＰ媒体、ＨＥＰＥＳ緩衝化タイロード媒体、およびＡｎｄｒｏｈｅｐ媒体を、単独または組み合わせのいずれかで用いて行い、適切な濃度を有する、少なくとも子宮鏡に適合性の容量および媒体を潜在的に達成し得る。
【０２９３】
本発明のさらなる実施形態はまた、カテーテルに協調性の粘性を有する、子宮鏡に適合性の媒体（単数または複数）を利用して、人工授精サンプルを提供し得る。この粘性は、例えば、サンプルを押し出す工程および沈着させる工程を潜在的に容易にし得る。さらに、本発明の潜在的に好ましい実施形態に従って、適合性の媒体（単数または複数）の使用は、好ましくは、哺乳動物の血液のおよその粘性より高いかまたは生理食塩水のおよその粘性より高い粘性を有する、人工授精サンプルを作製し得る。さらに、さらなる実施形態は、各々、哺乳動物の平均体温にて、約１００ｃｐより高い粘性を有する適合性の媒体、約３００ｃｐより高い粘性を有する媒体、約１０００ｃｐより高い粘性を有する媒体、約３０００ｃｐより高い粘性を有する媒体、および約６０００ｃｐより高い粘性を有する媒体、を提供し得る。
【０２９４】
さらに、本発明の実施形態は、子宮鏡受精サンプルを提供し得、これは、レザバ要素、このレザバ要素に応答性であるカテーテルシステム、このレザバ要素内に含まれる複数の精子細胞、およびこのレザバ要素に含まれ、かつこれらの精子細胞に応答性である、子宮鏡に適合性の媒体、を含む。さらなる実施形態に従って、これらの複数の精子細胞がこのレザバ要素内に含まれている、授精封じ込め状態（ｃｏｎｔａｉｎｍｅｎｔ）は、自然の授精に代表的に見られる精子細胞数と比較して、少ない数の精子細胞を含み得る。
【０２９５】
授精の精液サンプルまたは精子細胞サンプルの特性の変更は、本発明に従って実施され得、そして好ましい実施形態に従って、その哺乳動物種の雌の発情時を決定し、次いで、ほぼその発情時に人工授精サンプルを確立するように人工授精精液の特性を変更することによって、実施され得る。代替的な実施形態は、先に定義されたように、その種の雌について適切に受精能があると決定したおよその時点にて、サンプルの特性を変更することを提供し得る。本発明はまた、以下から選択される時間内に受精精液の特性の変更を開始することを提供し得る：その哺乳動物種の雌について適切に受精能があると決定された時点の約２４時間以内；その哺乳動物種の雌について適切に受精能があると決定された時点の約１２時間以内；その哺乳動物種の雌について適切に受精能があると決定された時点の約８時間以内；その哺乳動物種の雌について適切に受精能があると決定された時点の約３時間以内；およびその哺乳動物種の雌について適切に受精能があると決定された時点の約１時間以内。この変更は、サンプルの調製、精子の選別、精子の解凍などからなり得る。
【０２９６】
本発明の１つの特定の実施形態は、子宮鏡に適合性の媒体の確立およびより授精を達成する可能性のある精子を選択するための精子の濃縮を提供し得る。詳細には、本発明の１つの潜在的に好ましい実施形態は、遠心分離による精液の調製を提供し得る。精液は、好ましくは、市販のスキムミルクエキステンダー（例えば、ＥＺ−Ｍｉｘｉｎ  ＣＳＴ（登録商標）（Ａｎｉｍａｌ  Ｒｅｐｒｏｄｕｃｔｉｏｎ  Ｓｙｓｔｅｍｓ，Ｃｈｉｎｏ，ＣＡ））において、例えば、１００×１０６精子／ｍｌを提供するよう希釈され得る。所望の場合、この精子懸濁物は、精子の選別に必要とされる潜在時間をシュミレートするよう、好ましくは、室温（２０℃〜２５℃）で６時間、光から保護され、そして維持され得る。次いで、この精子懸濁物を、９０：４５％  Ｐｅｒｃｏｌｌ（Ｓｉｇｍａ  Ｃｈｅｍｉｃａｌ  Ｃｏ．，Ｓｔ．Ｌｏｕｉｓ，ＭＯ，ＵＳＡ）の不連続性密度勾配によって遠心分離して、これらの細胞を再濃縮し、そして精子の高度に移動性の画分を潜在的に選択し得る。９０％  Ｐｅｒｃｏｌｌを、ＨＥＰＥＳ緩衝化タイロード媒体（Ｇｒｏｎｄａｈｌら、１９９６）で１：１（ｖ／ｖ）の比で希釈して、４５％溶液を作製し得る。好ましくは１５ｍＬの遠心管において、好ましくは１ｍＬの４５％  Ｐｅｒｃｏｌｌを、好ましくは１ｍＬの９０％  Ｐｅｒｃｏｌｌの頂部に注意深く重層し得る。好ましくは１ｍＬの精子懸濁物（ＥＺ−Ｍｉｘｉｎ，ＣＳＴ中１００×１０６精子／ｍＬ）を、Ｐｅｒｃｏｌｌ層の頂部に重層し得、そして遠心管を、１２分の好ましい期間にわたって８００×ｇで遠心し得る。遠心分離後、上清を完全に除去し得、そしてペレットを、好ましくは６００μｌのＨＥＰＥＳ緩衝化タイロード媒体中に再懸濁し得る。１つの実施形態に従って、精子濃度を、比重計（５３４Ｂ  ＭＯＤ−１，Ａｎｉｍａｌ  Ｒｅｐｒｏｄｕｃｔｉｏｎ  Ｓｙｓｔｅｍｓ，Ｃｈｉｎｏ，ＣＡ）を用いて決定し、そして、５００万個の精子を送達するための潜在的容量（潜在的には、好ましくは、約１００μｌ）を計算し、そして授精のために調製し得る。
【０２９７】
本発明の広範な局面に従って、本発明の１つの実施形態は、哺乳動物種の雌のＵＴＪの近くにカテーテルを配置することを提供し、それによって、カテーテルが、子宮卵管接合部の近傍の表面下に挿入される。サンプルの少なくとも一部が、表面下のＵＴＪの近傍にて押し出されるかまたは沈着され得る。
【０２９８】
本発明の１つの実施形態は、哺乳動物種の雄からの精子細胞の収集、収集された精子細胞の少なくともいくらかを利用する人工授精サンプルの確立、およびカテーテルへの人工授精サンプルの配置を提供する。雌が適切に受精能を有する時点は、上記のように決定され得る。光学要素（１２）およびカテーテル（２）は、図２に示されるように、膣に挿入され、そして膣を通してガイドされ得る。ＵＴＪは、光学要素（１２）によって光学的に位置決めされ得る。
【０２９９】
カテーテルは、図３に示されるように、ＵＴＪ（３０）の近傍の表面（３４）の下に挿入され得る。人工授精サンプルの少なくとも一部は、ＵＴＪの近傍内の表面下に押し出され得、従って、層間に包み込まれたサンプルによって「膨れ」を形成する。人工授精サンプルの少なくとも一部の沈着が、ＵＴＪの近傍中の表面（３４）下に提供され得る。表面（３４）は、子宮内膜または子宮の他の部分あるいは子宮内層を含み得る。１つの好ましい実施形態において、カテーテルは、子宮の特定部分が穿刺されないように挿入され得、そして１つの実施形態に従って、子宮の血管形成された部分が穿刺されないように挿入され得る。１つの特定の実施形態に従って、穿孔されなくてもよい子宮の血管形成された部分としては、例えば、子宮の子宮間膜または子宮筋層の部分、あるいは他の血管形成された部分が挙げられ得る。その後、光学要素およびカテーテルは、その雌から引き抜かれ得、そしてその雌の卵子の受精が生じ得、その後、子孫哺乳動物の産生が、その受精卵から期待され得る。
【０３００】
本発明の実施形態はまた、ガイド要素（または、好ましい実施形態において、ビデオ内視鏡またはカニューレ）、ガイド要素に応答性のレザバ要素、レザバ要素に応答性である押し出し要素（または、好ましい実施形態において、注射器）、およびレザバ要素の前部に配置される細胞穿刺チップ（３６）を有する、潜在的に対応する授精カテーテルを提供し得る。このカテーテルはさらに、穿孔深度制御要素（例えば、穿孔チップ（３６）の近傍に配置される、チップ上の調整要素または止め）を提供し得る。本発明の授精カテーテルの１つの実施形態を、図３に示す。
【０３０１】
上記のように、そして上記のＵＴＪの近傍の表面下への押し出しおよび沈着の受精システムに従って、哺乳動物を産生する多くの工程が実施され得る。少数の精子が、カテーテル（２）に配置され得、そして、好ましい実施形態において、好ましくは、その数は、以下から選択され得る：１０００万個未満の精子、５００万個未満の精子、２００万個未満の精子、１００万個未満の精子、５０万個未満の精子、および１０万個未満の精子。さらに、卵子の受精が、本発明の好ましい実施形態に従って実施され得、ここで、受精の成功レベルは、従来の子宮体人工授精プロセスに統計学的に匹敵し得る。統計学的に匹敵する成功レベルは、上記のように定義され得る。
【０３０２】
さらに、精子細胞は、哺乳動物種（本発明の代替的な実施形態において、ウシ、ウマまたはブタを含む）の雄から収集され得る。本発明の代替的な実施形態に従って、精子細胞は、上記のような、より受精を達成する可能性のあり得る細胞について、収集された細胞から選択され得る。
【０３０３】
従って、本発明の実施形態に従って、受精封じ込め要素（ｉｎｓｅｍｉｎａｔｉｏｎ  ｃｏｎｔａｉｎｍｅｎｔ  ｅｌｅｍｅｎｔ）が提供され、これは、好ましくは、細胞基底表面（特定の実施形態において、子宮内層、または好ましい実施形態に従って、子宮の血管形成されていない部分（例えば、子宮間膜または子宮筋層））、細胞基底表面に隣接する細胞被覆表面（特定の実施形態において、子宮内膜また子宮内層）、細胞基底表面と細胞被覆表面との間の実質的に包み込まれた領域（好ましい実施形態に従って、ＵＴＪの近傍に位置決めされる）、およびその種の雄由来の精子細胞、を含む。好ましい実施形態はまた、自然の受精と比較して少数の精子（その容量内に配置される）および精子が通過し得る精子放出要素（その容量に隣接する）を利用する。精子は、受精容量について、（おそらく）精巣上体起源について（でさえ）、または先に議論した任意の他の制限について、収集、選択され得る。精子放出要素は、図３に示されるように、子宮の子宮内膜表面に裂け目（ｂｒｅａｃｈ）を含み得るか、または単に拡散などによって生じ得る。
【０３０４】
さらに、他の潜在的に独立した手順が、本発明に組み込まれ得、そしてなお、本発明の範囲内にあるとみなされ得る。このような手順としては、性徴によって精子細胞を選別することが挙げられ得、それによって、性選別人工受精サンプルを確立し、そして好ましい実施形態において、その哺乳動物についての自然の授精用量と比較して少ない精子数を使用して、低用量の性選択人工授精サンプルを確立することが挙げられ得る。さらに、精子細胞の保存または凍結、およびその後の解凍が、特定の実施形態（特に、ウマ、ウシおよびブタのような種々の哺乳動物に関して）において達成され得る。受精サンプルの沈着は、任意の様式で処理または吸引され得、ＵＴＪの陰窩またはひだに沈着され得、そしてその後の受精のための精子のいくつかの型の保存を提供し得る。子宮鏡に適合性の容量で適合性の媒体を利用する授精精子または授精サンプルの確立は、室温での精子またはサンプルの冷却をさらに提供し得る。遠心分離は、好ましくは、２００×ｇで約５分間および８００×ｇで約１０分間、Ｐｅｒｃｏｌｌ勾配によって実施され得る。好ましい実施形態に従って、より移動性の精子の濃縮は、開始濃度の約２倍未満への濃縮に制限され得る。詳細には、本発明において具体化される広範な概念および詳細な概念は、他の哺乳動物種（ウマ、ウシおよびブタを含む）に適用されることが理解される。最後に、子孫哺乳動物の産生に部分的に関する、本発明は、上記の方法クレームのいずれかに記載されるようなプロセスを利用して産生された動物の実施形態を開示するとみなされ得る。
【０３０５】
本発明の実施形態に従って、選別は、詳細には、哺乳動物種の雄からの精子細胞の収集、性特異的特徴に従う精子細胞の選別、選別された性特異的人工授精サンプルの確立、カテーテルへの選別された性特異的人工授精サンプルの配置を提供し、これらは、本明細書中に開示される本発明の種々の他の局面において、哺乳動物を産生する方法に組み込まれ得る。
【０３０６】
前述から容易に理解され得るように、本発明の基本概念は、種々の様式で具体化され得る。これは、適切な授精を達成するための授精技術および装置の両方を包含する。本出願において、授精技術は、記載される種々のデバイスによって達成されることが示された結果の一部として、および利用に特有の工程として、開示される。これらは、意図および記載されるように、これらのデバイスを利用した単なる自然の結果である。さらに、いくつかのデバイスが開示されるが、これらは、特定の方法を達成するのみならず、多くの様式で変更され得ることが理解されるべきである。重要なことに、前述の全てについて、これらの局面の全ては、本開示によって包含されることが理解されるべきである。
【０３０７】
本出願に含まれる議論は、基本的な説明として役立つことが意図される。読者は、特定の議論が明らかに全ての可能な実施形態を記載していないかもしれず；多くの代替物が暗示されていることを認識するべきである。この議論はまた、本発明の一般的な性質について十分に説明していないかもしれず、そして各々の特徴または要素が、実際に、より広い機能またはより多くの種々の代替的または等価的な要素をどのように表し得るか明示していないかもしれない。また、これらも、本明細書中に暗に含まれる。本発明は、デバイスに関する専門用語で記載されており、デバイスの各要素は、暗に機能を果たし得る。装置クレームが、これらの記載されたデバイスについて含まれるだけでなく、方法クレームおよびプロセスクレームもまた、本発明および各要素が果たし得る機能に関して含まれ得る。これらの説明も専門用語も、本特許出願に含まれる特許請求の範囲を限定することを意図されない。
【０３０８】
種々の変更が、本発明の本質から逸脱することなくなされ得ることもまた、理解されるべきである。このような変更もまた、説明中に暗に含まれている。これらもなお、本発明の範囲内にある。
【０３０９】
さらに、本発明および特許請求の範囲の種々の要素の各々もまた、種々の様式で達成され得る。本開示は、各々のこのようなバリエーション（任意の装置の実施形態、方法またはプロセスの実施形態の実施形態のバリエーション、またはこれらの任意の要素の単なるバリエーションでさえ）を包含することが理解されるべきである。特に、本発明の要素に関する開示に関して、各要素についての単語は、等価な装置用語または方法用語によって表わされ得る（たとえ、その機能または結果のみが同一であったとしても）ことが理解されるべきである。このような等価な用語、より広範な用語、またはより一般的な用語は、各々の要素または作用の説明に包含されるとみなされるべきである。このような用語は、本発明が権利付与される暗に広い範囲を明確にすることが所望される場合に、置換され得る。
【０３１０】
１つの例にすぎないが、全ての作用は、その作用を得るための手段としてか、またはその作用を生じる要素として表わされ得ることが理解されるべきである。同様に、開示される各々の物理的要素は、その物理的要素が促進する作用の開示を包含することが理解されるべきである。この最後の局面に関して、１つの例にすぎないが、「押し出し器（ｅｘｔｒｕｄｅｒ）」との開示は、明確に議論されているか否かに関わらず、「押し出す」作用の開示を包含することが理解されるべきであり、そして逆に、「押し出す」作用の開示のみが存在する場合、このような開示は、「押し出し器」の開示および「押し出すための手段」の開示さえも包含することが理解されるべきである。このような変更および代替的な用語は、本明細書中に明確に含まれることが理解されるべきである。
【０３１１】
本特許出願において言及された法律、法令、規定または規則の任意の効果、または本特許出願において言及された特許、刊行物または他の引用文献は、参考として本明細書によって援用される。さらに、使用される各用語に関して、本出願におけるその利用が、このような解釈と矛盾しない限り、一般的な辞書の定義が、各用語および全ての定義について包含されることが理解され、ランダムハウスウェブスター大辞典（第２版）に含まれるような代替的な用語および同義語が、参考として本明細書中に援用されることが、理解される。しかし、上記の各々に関して、このような参考として援用される情報および記載が、この／これらの発明の特許化と矛盾するとみなされうる程度にまで、このような記載が、本出願人によってなされたものとして明らかにみなされるべきではない。
【０３１２】
従って、本出願人らは、少なくとも、ｉ）本明細書中で開示および記載されている各々の授精デバイス、ｉｉ）開示および記載されている関連の方法、ｉｉｉ）これらのデバイスおよび方法の各々の、類似のバリエーション、等価なバリエーション、および暗黙のバリエーションさえも、ｉｖ）開示および記載される、示される各々の機能を達成するそれらの代替の設計、ｖ）開示および記載されることを達成するために含まれる、示される各々の機能を達成するそれらの代替の設計および方法、ｖｉ）別個の独立した発明として示される各々の特徴、構成成分、および工程、ｖｉｉ）開示される種々のシステムまたは構成成分により増強される適用、ｖｉｉｉ）このようなシステムまたは構成成分により産生される得られる産生物、ならびにｉｘ）本明細書上記に実質的に記載される方法および装置ならびに付属の実施例のいずれかに関する方法および装置、ならびにｘ）開示される要素の各々の種々の組み合わせおよび変形、を権利請求するための支持を有することが理解されるべきである。
【０３１３】
さらに、使用される場合、一時的な句「〜を含む（包含する）」は、本明細書中で、従来の請求項の解釈に従って、「制限のない（オープンエンドの）」請求項を維持するために使用される。従って、文脈がそうでないことを要求しない限り、用語「〜を含む（包含する）（ｃｏｍｐｒｉｓｅ）」またはそのバリエーション（ｃｏｍｐｒｉｓｅｓまたはｃｏｍｐｒｉｓｉｎｇ）は、記載される要素または工程あるいは要素または工程のグループの含有を含むことを意図するが、任意の他の要素または工程あるいは要素または工程のグループの排除を含むことを意図しない。このような用語は、出願人に最も広範な法的な許容を与えるように、それらの最も広範な形態で解釈されるべきである。
【０３１４】
以下の説明および請求項において使用される場合、用語「少なくとも１つ」は、この開示において、「少なくとも１つ」の語を含まない他の請求項または説明が、１つ以上の類似の要素をさらに含み得ないということを意味することを意図しないし、そのように使用されないこともまた注意すべきである。より具体的には、語「少なくとも１つ」は、請求される要素または工程とは別のさらなる要素または工程を有するデバイスまたは方法を本来含む「制限のない（オープンエンドの）」請求項を、さらなる要素を有するデバイスまたは方法がこのような請求項により網羅されない「限定的な（クローズドエンドの）」請求項に変更することを意図しないし、そのように使用されない。従って、使用される場合、一時的な句「含む（包含する）」の使用は、本明細書中で、従来の請求項の解釈に従って、「制限のない（オープンエンドの）」請求項を維持するために使用される。
【０３１５】
（Ｉ．特許文献）
【０３１６】
【表１】
2008093483.tif 000002
【０３１７】
（ＩＩ．他の文献（著者、表題、日付、関連頁等を含む））
【０３１８】
【表２】
2008093483.tif 000003
【０３１９】
2008093483.tif 000004
【図面の簡単な説明】
【０３２０】
【図１】図１は、本発明の１つの実施形態に従う、光学要素、カニューレ、カテーテルおよびシリンジの、部分的に分解した斜視図式図である。
【図２】図２は、哺乳動物種の雌性の生殖器官の図式表現および特に、本発明の１つの実施形態に従う人工授精の表現である。
【図３】図３は、本発明の包まれた人工授精の実施形態の拡大図式図である。
【図１】
2008093483.tif 000005
【図２】
2008093483.tif 000006
【図３】
2008093483.tif 000007